(57)【特許請求の範囲】
【請求項１】
無線インターフェース技術を使用するための方法であって、前記方法は、
ユーザ機器（UE）によって、N個の周波数範囲の無線リソース構成情報を受信するステップであって、セルの周波数帯域が、前記N個の周波数範囲に分割され、前記N個の周波数範囲の各々は、１つの無線インターフェース技術をサポートし、前記無線リソース構成情報は、前記N個の周波数範囲の周波数帯情報と、前記N個の周波数範囲によってサポートされる無線インターフェース技術の特性情報とを含み、前記特性情報は、伝送時間間隔（TTI）、サイクリックプレフィックス（CP）長、OFDMシンボルの持続時間、または、サブキャリア間隔を含み、Ｎ≧２である、ステップと、
前記UEによって、基地局によって送信された指示情報を受信するステップであって、前記指示情報は、データ無線ベアラ（DRB）上で搬送されるサービスを伝送するために物理層リソースが前記UEによって使用されるべきである前記N個の周波数範囲のうちの第1の周波数範囲を示すために使用される、ステップと、
前記UEによって、前記第1の周波数範囲の前記物理層リソースと前記第1の周波数範囲によってサポートされる無線インターフェース技術とを使用して、前記DRB上で搬送される前記サービスを前記基地局に伝送するステップと
を含む、方法。
【請求項２】
前記UEによって、DRBと無線インターフェース技術と間における対応関係を受信するステップ
を更に含み、
前記サービスを搬送する前記DRBは、前記第1の周波数範囲によってサポートされる前記無線インターフェース技術に対応する、請求項1に記載の方法。
【請求項３】
前記N個の周波数範囲が、共通周波数範囲および専用周波数範囲を含むか、または専用周波数範囲を含み、
前記UEが、前記基地局によって送信されたシステム・ブロードキャスト・メッセージまたは無線リソース制御RRCシグナリングから、前記基地局によって送信された前記周波数帯情報を受信する、請求項1または2に記載の方法。
【請求項４】
前記方法が、
前記共通周波数範囲を使用して前記基地局によって送信された前記システム・ブロードキャスト・メッセージもしくは前記RRCシグナリングを、前記UEによって受信するステップであって、前記システム・ブロードキャスト・メッセージもしくは前記RRCシグナリングが、前記共通周波数範囲の周波数帯情報および前記専用周波数範囲の周波数帯情報を含む、ステップ、または
前記専用周波数範囲を使用して前記基地局によって送信された前記システム・ブロードキャスト・メッセージもしくは前記RRCシグナリングを、前記UEによって受信するステップであって、前記システム・ブロードキャスト・メッセージもしくは前記RRCシグナリングが、前記専用周波数範囲の周波数帯情報を含む、ステップ
をさらに含む、請求項3に記載の方法。
【請求項５】
前記基地局によって送信された指示情報を、前記UEによって受信する前記ステップの前に、前記方法が、
前記UEによって、シグナリング無線ベアラ（SRB）と無線インターフェース技術との間における対応関係を受信するステップと、
前記UEによって、前記第1の周波数範囲によってサポートされる前記無線インターフェース技術を使用して、前記基地局から、SRB上でRRCシグナリングを受信するステップと
を更に含み、
前記SRBは、前記第1の周波数範囲によってサポートされる前記無線インターフェース技術に対応する、請求項1に記載の方法。
【請求項６】
前記UEによって、前記基地局によって送信される前記セルのランダム・アクセス・リソース情報を受信するステップと、
前記UEによって、前記ランダム・アクセス・リソース情報に従って、ワイヤレスネットワークにアクセスするか、または、アップリンク同期を実行するステップと
を更に含む、請求項1から5のいずれか一項に記載の方法。
【請求項７】
前記周波数帯情報は、専用周波数範囲の帯域幅および中心周波数を含む、請求項3に記載の方法。
【請求項８】
端末デバイスであって、前記端末デバイスが、
N個の周波数範囲の無線リソース構成情報と、基地局によって送信されるセルのランダム・アクセス・リソース情報とを受信するように構成されたトランシーバユニットであって、セルの周波数帯域が、前記N個の周波数範囲に分割され、前記N個の周波数範囲の各々は、１つの無線インターフェース技術をサポートし、前記無線リソース構成情報は、前記N個の周波数範囲の周波数帯情報と、前記N個の周波数範囲によってサポートされる無線インターフェース技術の特性情報とを含み、前記特性情報は、伝送時間間隔（TTI）、サイクリックプレフィックス（CP）長、OFDMシンボルの持続時間、または、サブキャリア間隔を含み、Ｎ≧２である、トランシーバユニット
を含み、
前記トランシーバユニットは、前記基地局によって送信された指示情報を受信するように更に構成され、前記指示情報は、データ無線ベアラ（DRB）上で搬送されるサービスを伝送するために物理層リソースが前記端末デバイスによって使用されるべきである前記N個の周波数範囲のうちの第1の周波数範囲を示すために使用され、
前記トランシーバユニットは、前記第1の周波数範囲の前記物理層リソースと前記第1の周波数範囲によってサポートされる無線インターフェース技術とを使用して、前記DRB上で搬送される前記サービスを前記基地局に伝送するように更に構成される、端末デバイス。
【請求項９】
前記トランシーバユニットは、DRBと無線インターフェース技術と間における対応関係を受信するように更に構成され、
前記サービスを搬送する前記DRBは、前記周波数範囲によってサポートされる前記無線インターフェース技術に対応する、請求項8に記載の端末デバイス。
【請求項１０】
前記N個の周波数範囲が、共通周波数範囲および専用周波数範囲を含むか、または専用周波数範囲を含み、
前記トランシーバユニットが、前記基地局によって送信されたシステム・ブロードキャスト・メッセージまたは無線リソース制御RRCシグナリングから、前記基地局によって送信された前記周波数帯情報を受信するように特に構成された、請求項8または9に記載の端末デバイス。
【請求項１１】
前記トランシーバユニットが、
前記共通周波数範囲を使用して前記基地局によって送信された前記システム・ブロードキャスト・メッセージもしくは前記RRCシグナリングの受信であって、前記システム・ブロードキャスト・メッセージもしくは前記RRCシグナリングが、前記共通周波数範囲の周波数帯情報および前記専用周波数範囲の周波数帯情報を含む、受信を行うか、または
前記専用周波数範囲を使用して前記基地局によって送信された前記システム・ブロードキャスト・メッセージもしくは前記RRCシグナリングの受信であって、前記システム・ブロードキャスト・メッセージもしくは前記RRCシグナリングが、前記専用周波数範囲の周
波数帯情報を含む、受信を行う
ように特に構成された、請求項10に記載の端末デバイス。
【請求項１２】
前記トランシーバユニットは、シグナリング無線ベアラ（SRB）と無線インターフェースとの間における対応関係を受信するように更に構成され、
前記トランシーバユニットは、前記第1の周波数範囲によってサポートされる前記無線インターフェース技術を使用して、前記基地局から、SRB上でRRCシグナリングを受信するように更に構成され、前記SRBは、前記第1の周波数範囲によってサポートされる前記無線インターフェース技術に対応する、請求項8に記載の端末デバイス。
【請求項１３】
前記トランシーバユニットは、前記基地局によって送信される前記セルのランダム・アクセス・リソース情報を受信するように更に構成され、
処理ユニットが、前記ランダム・アクセス・リソース情報に従って、ワイヤレスネットワークにアクセスするか、または、アップリンク同期を実行するように構成される、請求項8から12のいずれか一項に記載の端末デバイス。
【請求項１４】
前記周波数帯情報は、専用周波数範囲の帯域幅および中心周波数を含む、請求項10に記載の端末デバイス。
【請求項１５】
請求項1から7のいずれか一項に記載の方法をコンピュータに実行させるプログラム。
【請求項１６】
命令を格納するメモリと、
前記メモリに接続され、請求項1から7のいずれか一項に記載の方法を行うために前記命令を実行するプロセッサと
を含む装置。
【請求項１７】
装置であって、
N個の周波数範囲の無線リソース構成情報と、基地局によって送信されるセルのランダム・アクセス・リソース情報とを受信する手段であって、セルの周波数帯域が、前記N個の周波数範囲に分割され、前記N個の周波数範囲の各々は、１つの無線インターフェース技術をサポートし、前記無線リソース構成情報は、前記N個の周波数範囲の周波数帯情報と、前記N個の周波数範囲によってサポートされる無線インターフェース技術の特性情報とを含み、前記特性情報は、伝送時間間隔（TTI）、サイクリックプレフィックス（CP）長、OFDMシンボルの持続時間、または、サブキャリア間隔を含み、Ｎ≧２である、手段と、
前記基地局によって送信された指示情報を受信する手段であって、前記指示情報は、データ無線ベアラ（DRB）上で搬送されるサービスを伝送するために物理層リソースが前記装置によって使用されるべきである前記N個の周波数範囲のうちの第1の周波数範囲を示すために使用される、手段と、
前記第1の周波数範囲の前記物理層リソースと前記第1の周波数範囲によってサポートされる無線インターフェース技術とを使用して、前記DRB上で搬送される前記サービスを前記基地局に伝送する手段と
を含む装置。
【請求項１８】
DRBと無線インターフェース技術との間における対応関係を受信する手段
を更に含み、
前記サービスを搬送する前記DRBは、前記第1の周波数範囲によってサポートされる前記無線インターフェース技術に対応する、請求項17に記載の装置。
【請求項１９】
前記N個の周波数範囲が、共通周波数範囲および専用周波数範囲を含むか、または専用周波数範囲を含み、
前記基地局によって送信された指示情報を受信する前記手段は、具体的には、前記基地局によって送信されたシステム・ブロードキャスト・メッセージまたは無線リソース制御RRCシグナリングから、前記基地局によって送信された前記周波数帯情報を受信する手段を含む、請求項17または18に記載の装置。
【請求項２０】
前記共通周波数範囲を使用して前記基地局によって送信された前記システム・ブロードキャスト・メッセージもしくはRRCシグナリングを受信する手段であって、前記システム・ブロードキャスト・メッセージもしくは前記RRCシグナリングが、前記共通周波数範囲の周波数帯情報および前記専用周波数範囲の周波数帯情報を含む、手段か、または
前記専用周波数範囲を使用して前記基地局によって送信された前記システム・ブロードキャスト・メッセージもしくは前記RRCシグナリングを受信する手段であって、前記システム・ブロードキャスト・メッセージもしくは前記RRCシグナリングが、前記専用周波数範囲の周波数帯情報を含む、手段
を更に含む請求項19に記載の装置。
【請求項２１】
シグナリング無線ベアラ（SRB）と無線インターフェースとの間における対応関係を受信する手段と、
前記第1の周波数範囲によってサポートされる前記無線インターフェース技術を使用して、前記基地局から、SRB上でRRCシグナリングを受信する手段であって、前記SRBは、前記第1の周波数範囲によってサポートされる前記無線インターフェース技術に対応する、手段と
を更に含む請求項17に記載の装置。
【請求項２２】
前記基地局によって送信される前記セルのランダム・アクセス・リソース情報を受信する手段と、
前記ランダム・アクセス・リソース情報に従って、ワイヤレスネットワークにアクセスするか、または、アップリンク同期を実行する手段と
を更に含む請求項17から21のいずれか一項に記載の装置。
【請求項２３】
前記周波数帯情報は、前記専用周波数範囲の帯域幅および中心周波数を含む、請求項19に記載の装置。
【発明の詳細な説明】
【技術分野】
【０００１】
本発明は、通信技術の分野に関し、具体的には、無線インターフェース技術、装置、およびシステムを使用するための方法に関する。本発明は、特に、柔軟な無線インターフェース技術を使用してワイヤレスネットワークシステムにアクセスすることに適用可能である。
【背景技術】
【０００２】
無線インターフェース技術または無線インターフェースプロトコルは、一般に、多重アクセス（multiple access）モード、変調・符号体系（MCS、modulation and coding scheme）、フレーム構造（frame structure）、物理チャネル（physical channel）、トランスポートチャネル（transport channel）、論理チャネル（logical channel）、MAC、無線リンク制御（RLC、radio link control）、パケット・データ・コンバージェンス・プロトコル（PDCP、packet data convergence protocol）、および無線リソース制御RRC（radio resource control）などを含む。既存のワイヤレス通信システムでは、1つのキャリアで1つの無線インターフェース技術しかサポートされない。例えば、1つの種類の多重アクセスモードまたは1つの種類のフレーム構造しかサポートされない。無線リソースを利用するこのような方法には柔軟性がない。無線リソースの要求を動的に調整することは困難であり、その結果、無線リソース利用率は低くなっている。
【発明の概要】
【課題を解決するための手段】
【０００３】
本発明の実施形態は、無線インターフェース技術、装置、および通信システムを使用するための方法を提供し、これにより、無線リソース構成の柔軟性を改善し、その結果、無線リソース利用率を改善する。
【０００４】
本発明の実施形態の第1の態様は、無線インターフェース技術を使用するための方法であって、
基地局によって、セルの周波数帯をN個の周波数範囲に分割するステップであって、N個の周波数範囲のそれぞれが1つの無線インターフェース技術をサポートし、セルが少なくとも2つの無線インターフェース技術をサポートする、ステップと、
基地局によって、N個の周波数範囲の無線リソース構成情報およびセルのランダム・アクセス・リソース情報をUEに送信するステップであって、ランダム・アクセス・リソース情報が、UEにセルへのアクセスを命令するために、またはUEにセルとのアップリンク同期の実行を命令するために使用される、ステップと、
基地局によって、UEのサービス無線ベアラDRBをN個の周波数範囲の少なくとも1つの周波数範囲にマッピングするステップであって、DRBのそれぞれが、少なくとも1つの周波数範囲のうちの1つに対応し、少なくとも1つの周波数範囲のそれぞれが、DRBの少なくとも1つに対応する、ステップと、
基地局によって、指示情報をUEに送信するステップであって、指示情報が、DRBがマッピングされる必要がある周波数範囲を示すために使用される、ステップと、
基地局によって、DRBがマッピングされた周波数範囲によってサポートされる無線インターフェース技術を使用して、DRBで搬送されるサービスをUEに伝送するステップと
を含み、Nが整数であり、N≧2である、方法を提供する。
【０００５】
第1の態様に関連して、第1の可能な実施態様では、周波数範囲は、共通周波数範囲および専用周波数範囲を含み、
共通周波数範囲は、N個の周波数範囲によってサポートされる無線インターフェース技術によって共有される周波数範囲であり、共通チャネルによって要求される無線リソースまたは共通チャネルおよびシグナリング無線ベアラSRBによって要求される無線リソースを含み、
専用周波数範囲は、無線インターフェース技術によって個別に使用される周波数範囲であり、専用周波数範囲は、DRBによって要求される無線リソースを持つ。
【０００６】
任意選択で、無線リソース構成情報は、周波数帯情報、N個の周波数範囲と無線インターフェース技術との対応関係、または無線インターフェース技術の特性情報のうちの少なくとも1つを含む。
【０００７】
第1の態様の第1の可能な実施態様に関連して、第2の可能な実施態様では、共通周波数範囲は、DRBによって要求される無線リソースをさらに含み、専用周波数範囲は、SRBによって要求される無線リソースをさらに含む。
【０００８】
第1の態様に関連して、第3の可能な実施態様では、周波数範囲は、専用周波数範囲を含み、専用周波数範囲は、無線インターフェース技術によって個別に使用される周波数範囲であり、共通チャネル、SRBによって要求される無線リソース、およびDRBによって要求される無線リソースを含む。
【０００９】
第1の態様の第1〜第3の可能な実施態様のいずれかに関連して、第4の可能な実施態様では、共通チャネルは、同期チャネル、セル固有基準信号、ブロードキャストチャネル、ページングチャネル、またはランダム・アクセス・チャネルを含む。
【００１０】
第1の態様に関連して、第5の可能な実施態様では、基地局によって、UEのサービス無線ベアラDRBをN個の周波数範囲の少なくとも1つの周波数範囲にマッピングするステップの前に、本方法は、
基地局によって、UEのSRBをN個の周波数範囲の少なくとも1つの周波数範囲にマッピングするステップであって、SRBのそれぞれが、少なくとも1つの周波数範囲のうちの1つに対応し、少なくとも1つの周波数範囲のそれぞれが、SRBの少なくとも1つに対応する、ステップと、
基地局によって、SRBがマッピングされた周波数範囲によってサポートされる無線インターフェース技術を使用して、無線リソース制御RRCシグナリングをUEに送信するステップであって、RRCシグナリングが、UEのDRBを確立するために使用される、ステップと
基地局によって、第1の指示情報をUEに送信するステップであって、第1の指示情報が、SRBがマッピングされる必要がある周波数範囲をUEに示すために使用される、ステップと
をさらに含む。
【００１１】
第1の態様に関連して、第6の可能な実施態様では、本方法は、基地局によって、システム・ブロードキャスト・メッセージまたはRRC制御シグナリングを使用してN個の周波数範囲の周波数帯情報をユーザ機器UEに送信するステップをさらに含む。
【００１２】
第1の態様の第6の可能な実施態様に関連して、第7の可能な実施態様では、基地局によって、N個の周波数範囲の周波数帯情報をUEに送信するステップは、基地局によって、システム・ブロードキャスト・メッセージまたはRRC制御シグナリングを使用してN個の周波数範囲の周波数帯情報をUEに送信するステップを含む。
【００１３】
第1の態様の第7の可能な実施態様に関連して、第8の可能な実施態様では、本方法は、
基地局によって、共通周波数範囲を使用してシステム・ブロードキャスト・メッセージもしくはRRC制御シグナリングをUEに送信するステップであって、システム・ブロードキャスト・メッセージもしくはRRC制御シグナリングが、共通周波数範囲の周波数帯情報および専用周波数範囲の周波数帯情報を含む、ステップ、または
基地局によって、専用周波数範囲を使用してシステム・ブロードキャスト・メッセージもしくはRRC制御シグナリングをUEに送信するステップであって、システム・ブロードキャスト・メッセージもしくはRRC制御シグナリングが、専用周波数範囲の周波数帯情報を含む、ステップ
をさらに含む。
【００１４】
第1の態様に関連して、第9の可能な実施態様では、無線インターフェース技術の特性情報は、無線インターフェース技術の多重アクセスモード、無線インターフェース技術のフレーム構造、無線インターフェース技術の物理チャネル特性、無線インターフェース技術のアップリンク−ダウンリンクサブフレーム構造、または無線インターフェース技術の物理チャネルリソース構成を含む。
【００１５】
本発明の実施形態の第2の態様は、無線インターフェース技術を使用するための方法であって、基地局が、セルの周波数帯をN個の周波数範囲に分割し、N個の周波数範囲のそれぞれが、1つの無線インターフェース技術をサポートし、セルが、少なくとも2つの無線インターフェース技術をサポートし、本方法が、
基地局によって送信された、N個の周波数範囲の無線リソース構成情報およびセルのランダム・アクセス・リソース情報を、ユーザ機器UEによって受信するステップであって、ランダム・アクセス・リソース情報が、UEにセルへのアクセスを命令するために、またはUEにセルとのアップリンク同期の実行を命令するために使用される、ステップと、
基地局によって送信された、セルのランダム・アクセス・リソースに従って、UEによりワイヤレスネットワークにアクセスするか、またはアップリンク同期を実行するステップと、
基地局によって送信された指示情報を、UEによって受信するステップであって、指示情報が、UEのデータ無線ベアラDRBがマッピングされる必要がある周波数範囲を示すために使用される、ステップと、
UEによって、UEのDRBを、DRBがマッピングされる必要がある周波数範囲にマッピングするステップと、
UEによって、DRBがマッピングされた周波数範囲によってサポートされる無線インターフェース技術を使用して、DRBで搬送されるサービスを基地局に伝送するステップと
を含み、Nが整数であり、N≧2である、方法を提供する。
【００１６】
任意選択で、無線リソース構成情報は、周波数帯情報、N個の周波数範囲と無線インターフェース技術との対応関係、または無線インターフェース技術の特性情報のうちの少なくとも1つを含む。
【００１７】
第2の態様に関連して、第1の可能な実施態様では、N個の周波数範囲は、共通周波数範囲および専用周波数範囲を含むか、または専用周波数範囲を含み、
UEは、基地局によって送信されたシステム・ブロードキャスト・メッセージまたは無線リソース制御RRCシグナリングから、基地局によって送信されたN個の周波数範囲の周波数帯情報を受信する。
【００１８】
第2の態様の第1の可能な実施態様に関連して、第2の可能な実施態様では、本方法は、
共通周波数範囲を使用して基地局によって送信されたシステム・ブロードキャスト・メッセージもしくはRRC制御シグナリングを、UEによって受信するステップであって、システム・ブロードキャスト・メッセージもしくはRRC制御シグナリングが、共通周波数範囲の周波数帯情報および専用周波数範囲の周波数帯情報を含む、ステップ、または
専用周波数範囲を使用して基地局によって送信されたシステム・ブロードキャスト・メッセージもしくはRRC制御シグナリングを、UEによって受信するステップであって、システム・ブロードキャスト・メッセージもしくはRRC制御シグナリングが、専用周波数範囲の周波数帯情報を含む、ステップ
をさらに含む。
【００１９】
第2の態様〜第2の態様の第2の可能な実施態様のいずれかに関連して、第3の可能な実施態様では、本方法は、
UEによって、基地局によって送信されたシステム・ブロードキャスト・メッセージを使用してN個の周波数範囲と無線インターフェース技術との対応関係または無線インターフェース技術の特性情報を学習するステップ、または
UEによって、基地局によって送信されたRRCシグナリングを使用してN個の周波数範囲と無線インターフェース技術との対応関係または無線インターフェース技術の特性情報を学習するステップ、または
UEによって、媒体アクセス制御MAC制御要素CEを使用してN個の周波数範囲と無線インターフェース技術との対応関係または無線インターフェース技術の特性情報を学習するステップ、または
UEによって、物理ダウンリンク制御チャネルPDCCHを使用してN個の周波数範囲と無線インターフェース技術との対応関係または無線インターフェース技術の特性情報を学習するステップ
をさらに含む。
【００２０】
第2の態様に関連して、第4の可能な実施態様では、基地局によって送信された指示情報を、UEによって受信するステップの前に、本方法は、
基地局によって送信された第1の指示情報を、UEによって受信するステップであって、第1の指示情報が、UEのシグナリング無線ベアラSRBがマッピングされる必要がある周波数範囲を示すために使用される、ステップと、
UEによって、UEのSRBを、SRBがマッピングされる必要がある周波数範囲にマッピングするステップと、
UEによって、SRBがマッピングされた周波数範囲によってサポートされる無線インターフェース技術を使用してRRCシグナリングを基地局に伝送するステップであって、RRCシグナリングが、UEのDRBを確立するために使用される、ステップと
をさらに含む。
【００２１】
第2の態様に関連して、第5の可能な実施態様では、本方法は、
UEによってシステム・ブロードキャスト・メッセージを読み取るステップと、
システムブロードキャスト情報が共通周波数範囲のシステムブロードキャスト情報である場合、UEによって、共通周波数範囲を使用してワイヤレスネットワークにアクセスするステップと
をさらに含む。
【００２２】
第2の態様に関連して、第6の可能な実施態様では、本方法は、
UEによってシステム・ブロードキャスト・メッセージを読み取るステップと、
システムブロードキャスト情報が専用周波数範囲のシステムブロードキャスト情報である場合ならびに専用周波数範囲が共通チャネルおよびシグナリング・ベアラ・リソースを含む場合に、UEによって、専用周波数範囲を使用してワイヤレスネットワークにアクセスするステップと
をさらに含む。
【００２３】
第2の態様に関連して、第7の可能な実施態様では、UEによって、UEのDRBを、DRBがマッピングされる必要がある周波数範囲にマッピングするステップは、
UEによって、基地局によって送信された指示情報または第1の指示情報を使用して、DRBがマッピングされる必要がある周波数範囲によってサポートされる無線インターフェース技術を学習するステップと、
UEによって、DRBを、DRBがマッピングされる必要がある周波数範囲によってサポートされる無線インターフェース技術にマッピングするステップと
を含む。
【００２４】
第2の態様の第4の可能な実施態様に関連して、第8の可能な実施態様では、UEによって、UEのSRBを、SRBがマッピングされる必要がある周波数範囲にマッピングするステップは、
UEによって、基地局によって送信された第1の指示情報を使用して、SRBがマッピングされる必要がある周波数範囲によってサポートされる無線インターフェース技術を学習するステップと、
UEによって、SRBを、SRBがマッピングされる必要がある周波数範囲によってサポートされる無線インターフェース技術にマッピングするステップと
を含む。
【００２５】
本発明の実施形態の第3の態様は、基地局デバイスであって、
セルの周波数帯をN個の周波数範囲に分割するように構成された処理ユニットであって、N個の周波数範囲のそれぞれが、1つの無線インターフェース技術をサポートし、セルが、少なくとも2つの無線インターフェース技術をサポートする、処理ユニットと、
N個の周波数範囲の無線リソース構成情報およびセルのランダム・アクセス・リソース情報をUEに送信するように構成されたトランシーバユニットであって、ランダム・アクセス・リソース情報が、UEにセルへのアクセスを命令するために、またはUEにセルとのアップリンク同期の実行を命令するために使用される、トランシーバユニットと
を含み、
処理ユニットが、UEのサービス無線ベアラDRBをN個の周波数範囲の少なくとも1つの周波数範囲にマッピングするようにさらに構成され、DRBのそれぞれが、少なくとも1つの周波数範囲のうちの1つに対応し、少なくとも1つの周波数範囲のそれぞれが、DRBの少なくとも1つに対応し、
トランシーバユニットが、DRBがマッピングされる周波数範囲によってサポートされる無線インターフェース技術を使用して、DRBで搬送されるサービスをUEに伝送するようにさらに構成され、
Nが整数であり、N≧2である、基地局デバイスを提供する。
【００２６】
任意選択で、無線リソース構成情報は、周波数帯情報、N個の周波数範囲と無線インターフェース技術との対応関係、または無線インターフェース技術の特性情報のうちの少なくとも1つを含む。
【００２７】
第3の態様に関連して、第1の可能な実施態様では、周波数範囲は、共通周波数範囲および専用周波数範囲を含み、
共通周波数範囲は、N個の周波数範囲によってサポートされる無線インターフェース技術によって共有される周波数範囲であり、共通チャネルによって要求される無線リソースまたは共通チャネルおよびシグナリング無線ベアラSRBによって要求される無線リソースを含み、
専用周波数範囲は、無線インターフェース技術によって個別に使用される周波数範囲であり、専用周波数範囲は、DRBによって要求される無線リソースを持つ。
【００２８】
第3の態様に関連して、第2の可能な実施態様では、共通周波数範囲は、DRBによって要求される無線リソースをさらに含み、専用周波数範囲は、SRBによって要求される無線リソースをさらに含む。
【００２９】
第3の態様に関連して、第3の可能な実施態様では、周波数範囲は、専用周波数範囲を含み、専用周波数範囲は、無線インターフェース技術によって個別に使用される周波数範囲であり、共通チャネル、SRBによって要求される無線リソース、およびDRBによって要求される無線リソースを含む。
【００３０】
第3の態様の第1〜第3の可能な実施態様のいずれかに関連して、第4の可能な実施態様では、共通チャネルは、同期チャネル、セル固有基準信号、ブロードキャストチャネル、ページングチャネル、またはランダム・アクセス・チャネルを含む。
【００３１】
第3の態様に関連して、第5の可能な実施態様では、
処理ユニットは、UEのSRBをN個の周波数範囲の少なくとも1つの周波数範囲にマッピングするようにさらに構成され、この場合、SRBのそれぞれは、少なくとも1つの周波数範囲のうちの1つに対応し、少なくとも1つの周波数範囲のそれぞれは、SRBの少なくとも1つに対応し、
トランシーバユニットは、第1の指示情報をUEに送信するようにさらに構成され、この場合、第1の指示情報は、SRBがマッピングされる必要がある周波数範囲をUEに示すために使用され、
トランシーバユニットは、SRBがマッピングされる周波数範囲によってサポートされる無線インターフェース技術を使用して、RRCシグナリングをUEに送信するようにさらに構成され、この場合、RRCシグナリングは、UEのDRBを確立するために使用される。
【００３２】
第3の態様に関連して、第6の可能な実施態様では、トランシーバユニットは、
システム・ブロードキャスト・メッセージまたはRRC制御シグナリングを使用して、N個の周波数範囲の周波数帯情報をUEに送信するように特に構成される。
【００３３】
第3の態様の第6の可能な実施態様に関連して、第7の可能な実施態様では、トランシーバユニットユニットは、
共通周波数範囲を使用しての、UEへのシステム・ブロードキャスト・メッセージもしくはRRC制御シグナリングの送信であって、システム・ブロードキャスト・メッセージもしくはRRC制御シグナリングが、共通周波数範囲の周波数帯情報および専用周波数範囲の周波数帯情報を含む、送信を行うか、または
専用周波数範囲を使用しての、UEへのシステム・ブロードキャスト・メッセージもしくはRRC制御シグナリングの送信であって、システム・ブロードキャスト・メッセージもしくはRRC制御シグナリングが、専用周波数範囲の周波数帯情報を含む、送信を行う
ように特に構成される。
【００３４】
第3の態様に関連して、第8の実施態様では、無線インターフェース技術の特性情報は、無線インターフェース技術の多重アクセスモード、無線インターフェース技術のフレーム構造、無線インターフェース技術の物理チャネル特性、無線インターフェース技術のアップリンク−ダウンリンクサブフレーム構造、または無線インターフェース技術の物理チャネルリソース構成を含む。
【００３５】
本発明の実施形態の第4の態様は、端末デバイスであって、端末デバイスが、無線インターフェース技術を使用するための方法をサポートするように構成され、基地局が、セルの周波数帯をN個の周波数範囲に分割し、N個の周波数範囲のそれぞれが、1つの無線インターフェース技術をサポートし、セルが、少なくとも2つの無線インターフェース技術をサポートし、端末デバイスが、
基地局によって送信された、N個の周波数範囲の無線リソース構成情報およびセルのランダム・アクセス・リソース情報を受信するように構成されたトランシーバユニットであって、ランダム・アクセス・リソース情報が、UEにセルへのアクセスを命令するために、またはUEにセルとのアップリンク同期の実行を命令するために使用される、トランシーバユニットと、
基地局によって送信された、セルのランダム・アクセス・リソースに従ってワイヤレスネットワークにアクセスするか、またはアップリンク同期を実行するように構成された処理ユニットと
を含み、
トランシーバユニットが、基地局によって送信された指示情報を受信するようにさらに構成され、指示情報が、UEのデータ無線ベアラDRBがマッピングされる必要がある周波数範囲を示すために使用され、
処理ユニットが、UEのDRBを、DRBがマッピングされる必要がある周波数範囲にマッピングするようにさらに構成され、
トランシーバユニットが、DRBがマッピングされた周波数範囲によってサポートされる無線インターフェース技術を使用して、DRBで搬送されるサービスを基地局に伝送するようにさらに構成され、
Nが整数であり、N≧2である、端末デバイスを提供する。
【００３６】
任意選択で、無線リソース構成情報は、周波数帯情報、N個の周波数範囲と無線インターフェース技術との対応関係、または無線インターフェース技術の特性情報のうちの少なくとも1つを含む。
【００３７】
第4の態様に関連して、第1の可能な実施態様では、N個の周波数範囲は、共通周波数範囲および専用周波数範囲を含むか、または専用周波数範囲を含み、
トランシーバユニットは、基地局によって送信されたシステム・ブロードキャスト・メッセージまたは無線リソース制御RRCシグナリングから、基地局によって送信されたN個の周波数範囲の周波数帯情報を受信するように特に構成される。
【００３８】
第4の態様の第1の可能な実施態様に関連して、第2の可能な実施態様では、トランシーバユニットは、
共通周波数範囲を使用して基地局によって送信されたシステム・ブロードキャスト・メッセージもしくはRRC制御シグナリングの受信であって、システム・ブロードキャスト・メッセージもしくはRRC制御シグナリングが、共通周波数範囲の周波数帯情報および専用周波数範囲の周波数帯情報を含む、受信を行うか、または
専用周波数範囲を使用して基地局によって送信されたシステム・ブロードキャスト・メッセージもしくはRRC制御シグナリングの受信であって、システム・ブロードキャスト・メッセージもしくはRRC制御シグナリングが、専用周波数範囲の周波数帯情報を含む、受信を行う
ように特に構成される。
【００３９】
第4の態様〜第4の態様の第2の可能な実施態様のいずれかに関連して、第3の可能な実施態様では、本デバイスは、
トランシーバユニットが、基地局によって送信されたシステム・ブロードキャスト・メッセージを使用してN個の周波数範囲と無線インターフェース技術との対応関係または無線インターフェース技術の特性情報を受信するようにさらに構成されるか、または
トランシーバユニットが、基地局によって送信されたRRCシグナリングを使用してN個の周波数範囲と無線インターフェース技術との対応関係または無線インターフェース技術の特性情報を受信するようにさらに構成されるか、または
トランシーバユニットが、基地局によって送信された媒体アクセス制御MAC制御要素CEを使用してN個の周波数範囲と無線インターフェース技術との対応関係または無線インターフェース技術の特性情報を受信するようにさらに構成されるか、または
トランシーバユニットが、基地局によって送信された物理ダウンリンク制御チャネルPDCCHを使用してN個の周波数範囲と無線インターフェース技術との対応関係または無線インターフェース技術の特性情報を受信するようにさらに構成される
ことをさらに含む。
【００４０】
第4の態様に関連して、第4の可能な実施態様では、
トランシーバユニットは、基地局によって送信された第1の指示情報の受信であって、第1の指示情報が、UEのシグナリング無線ベアラSRBがマッピングされる必要がある周波数範囲を示すために使用される、受信を行うようにさらに構成され、
処理ユニットは、UEのSRBを、SRBがマッピングされる必要がある周波数範囲にマッピングするようにさらに構成され、
トランシーバユニットは、SRBがマッピングされる周波数範囲によってサポートされる無線インターフェース技術を使用しての、基地局へのRRCシグナリングの伝送であって、RRCシグナリングが、UEのDRBを確立するために使用される、伝送を行うようにさらに構成される。
【００４１】
第4の態様に関連して、第5の可能な実施態様では、トランシーバユニットは、システム・ブロードキャスト・メッセージを読み取るようにさらに構成され、
システムブロードキャスト情報が、共通周波数範囲のシステムブロードキャスト情報である場合、処理ユニットは、共通周波数範囲を使用してワイヤレスネットワークにアクセスするようにさら構成される。
【００４２】
第4の態様〜第4の態様の第2の可能な実施態様のいずれかに関連して、第6の可能な実施態様では、処理ユニットは、
基地局によって送信され、トランシーバユニットによって受信される指示情報を使用して、DRBがマッピングされる必要がある周波数範囲によってサポートされる無線インターフェース技術を学習し、DRBを、DRBがマッピングされる必要がある周波数範囲によってサポートされる無線インターフェース技術にマッピングするように特に構成される。
【００４３】
第4の態様の第4の可能な実施態様に関連して、第7の可能な実施態様では、処理ユニットが、UEのSRBを、SRBがマッピングされる必要がある周波数範囲にマッピングするように構成されることが、
処理ユニットが、基地局によって送信され、トランシーバユニットによって受信される第1の指示情報を使用して、SRBがマッピングされる必要がある周波数範囲によってサポートされる無線インターフェース技術を学習し、SRBを、SRBがマッピングされる必要がある周波数範囲によってサポートされる無線インターフェース技術にマッピングするようにさらに構成されることを含む。
【００４４】
本発明の実施形態の第5の態様は、通信システムを提供し、通信システムは、本発明の実施形態の第3の態様〜第3の態様の第6の可能な実施態様のいずれかによる基地局デバイスと、本発明の実施形態の第4の態様〜第4の態様の第3の可能な実施態様のいずれかによる端末デバイスと、システムによって無線リソース制御を実行するために構成されたサービス指向無線（SOR、service oriented radio）コントローラとを含むことができ、
SORコントローラは、
基地局が、サービスを搬送するDRBを、マッピングされる必要がある周波数範囲にマッピングできるように、システムにおいてサービスに使用される周波数範囲を決定し、
基地局がセルの周波数範囲を分割または再分割できるように、無線インターフェース技術によって使用されるセルの周波数範囲を決定する
よう特に構成される。
【００４５】
本発明の実施形態の第6の態様は、無線インターフェース技術を使用するための方法であって、
SORコントローラによって、ネットワーク要素または論理ユニットからセルリソース情報、サービス情報、およびサービス要求を取得するステップと、
SORコントローラによって、セルリソース情報、サービス情報、およびサービス要求に従って、サービスによって要求される周波数範囲を決定するステップと、
SORコントローラによって、サービスの伝送に使用される周波数範囲を、指定されたネットワーク要素または論理ユニットに通知するステップであって、ネットワーク要素または論理ユニットが、基地局、コアネットワーク要素、またはサービスサーバを含む、ステップと
を含む、方法を提供する。
【００４６】
本発明の実施形態によれば、各無線インターフェース技術によって使用される周波数範囲は、セルの全周波数範囲内でプランニングされてもよく、セルの周波数帯は、複数の周波数範囲に分割されてもよく、通信システムにおいて共通チャネル、シグナリング無線ベアラ、およびサービスベアラによって使用される無線リソースは、周波数領域でプランニングされてもよく、このため、無線リソース構成の柔軟性が改善され、その結果、無線リソース利用率が改善される。
【００４７】
本発明の実施形態または従来技術の技術的解決策をより明確に説明するために、以下では、実施形態を説明するために必要な添付図面について簡単に説明する。明らかに、以下の説明の添付図面は、本発明の一部の実施形態を示しているに過ぎず、当業者は、創造的な努力なしにこれらの添付図面から他の図面をさらに得ることができる。
【図面の簡単な説明】
【００４８】
【図１】本発明の一実施形態による適用状況の概略図である。
【図２】本発明の一実施形態に従って無線インターフェース技術を使用するための方法のフローチャートである。
【図３−ａ】本発明の一実施形態に従って共通周波数範囲の中心周波数を構成する概略図である。
【図３−ｂ】本発明の一実施形態に従って共通周波数範囲の中心周波数を構成する概略図である。
【図４−ａ】本発明の一実施形態に従って無線インターフェース技術を使用するための方法のフローチャートである。
【図４−ｂ】本発明の一実施形態に従って無線インターフェース技術が共通周波数範囲に個別に使用されることを示す概略図である。
【図４−ｃ】本発明の一実施形態による、データ無線ベアラと無線インターフェース技術との間のマッピングの概略図である。
【図５】本発明の一実施形態に従って無線インターフェース技術を使用するための方法のフローチャートである。
【図６−ａ】UEが本発明の一実施形態に従ってワイヤレスネットワークにアクセスすることを示す概略図である。
【図６−ｂ】UEが本発明の一実施形態に従ってワイヤレスネットワークにアクセスすることを示すフローチャートである。
【図７−ａ】UEが本発明の一実施形態に従ってワイヤレスネットワークにアクセスすることを示す別の概略図である。
【図７−ｂ】UEが本発明の一実施形態に従ってワイヤレスネットワークにアクセスすることを示す別のフローチャートである。
【図８−ａ】本発明の一実施形態による概略的なネットワークアーキテクチャ図である。
【図８−ｂ】本発明の一実施形態に従って、サービスに使用される周波数範囲を決定するフローチャートである。
【図９−ａ】本発明の一実施形態に従ってセルのために無線リソースを構成する概略図である。
【図９−ｂ】本発明の一実施形態に従ってセルのために無線リソースを構成するフローチャートである。
【図１０】本発明の一実施形態による基地局デバイスの概略図である。
【図１１】本発明の一実施形態による端末デバイスの概略図である。
【図１２】本発明の一実施形態による別の基地局デバイスの概略図である。
【図１３】本発明の一実施形態による別の端末デバイスの概略図である。
【図１４】本発明の一実施形態による通信システムの概略図である。
【発明を実施するための形態】
【００４９】
以下では、本発明の実施形態の添付図面を参照しながら本発明の実施形態の技術的解決策を明確かつ完全に説明する。明らかに、説明されている実施形態は、本発明の実施形態の一部に過ぎず、本発明の実施形態の全部ではない。創造的な努力なしに本発明の実施形態に基づいて当業者によって得られる他のすべての実施形態は、本発明の保護範囲内に入るものとする。
【００５０】
従来技術では、同じ無線インターフェース技術が複数の周波数範囲に使用される通信システムが存在する。例えば、ロング・ターム・エボリューション（LTE、Long Term Evolution）システムのキャリアアグリゲーション技術では、周波数帯の異なる複数のセルが、基地局のために構成され、LTE技術が、周波数帯の異なるセルのすべてに使用される。基地局は、UEのためのサービングセルとして、周波数帯の異なる複数のセルを構成することができ、基地局およびUEの両方は、1つのプライマリ・サービングセルおよび1つ以上のセカンダリ・サービングセルの無線リソースを通信に使用し得る。
【００５１】
別の例では、LTE技術のベアラ分離技術では、複数のセルが、UEのためのサービングセルとして構成され得る。複数のセルは、2つ以上の異なる基地局に由来し、複数のセルが属する周波数範囲は同じである場合もあれば異なる場合もある。UEのサービングセルは、マスタeNodeBのプライマリ・サービングセルと、1つ以上のセカンダリeNodeBのセカンダリ・サービングセルとを含む。各セカンダリeNodeBのセカンダリ・サービングセルは、UEがアップリンク制御情報を送信する物理アップリンク制御チャネル（PUCCH、Physical uplink control channel）で構成されたプライマリ・セカンダリ・サービングセルをさらに含む。
【００５２】
本発明の実施形態では、一状況としてLTEシステムが使用される。
【００５３】
本発明に該当し得る状況をより良く理解するために、図1は、適用状況を示す。図1に示すように、ユーザ機器（UE）は、マクロ基地局またはスモールセル（Small cell）によって提供される1つ以上のセルまたはキャリアのカバレッジエリア内に位置し、また、UEにサービスを提供する1つ以上のセルが存在し得る。UEには、マクロ基地局のマクロセルおよびスモールセルのマイクロセルの両方によってサービスが提供され得る。UEの複数のサービングセルが存在する場合、UEは、キャリアアグリゲーション（CA、Carrier aggregation）伝送モードで、デュアルコネクティビティ（DC、Dual connectivity（CAのキャリアが1つより多くの基地局によって提供される））伝送モードで、または協調複数ポイント（CoMP、Coordinated multiple point）伝送モードで動作してもよい。サービングセルの少なくとも1つのセルは、1つより多くの無線インターフェース技術をUEに提供する。
【００５４】
しかしながら、本発明に該当し得る状況は、UEが複数のセルのカバレッジ内にある場合だけでなく、UEが1つのセルのカバレッジエリア内にのみ位置する場合も含む。さらに、本発明は、LTEシステムだけでなく、ユニバーサル移動体通信システム（UMTS、Universal mobile telecommunications system）、CDMA2000システム、ワイヤレス・ローカル・エリア・ネットワーク（WLAN、Wireless local area network）システム、または将来の5G（The fifth generation）ワイヤレス通信システムなどにも適用可能である。
【００５５】
本発明の実施形態は、説明のために1つのセルに2つの無線インターフェース技術が準備された例を使用するが、1つのセルに2つより多くの無線インターフェース技術が準備される場合にも適用可能である。
【００５６】
本発明の明細書、特許請求の範囲、および添付図面において、用語「第1の」、「第2の」、「第3の」、および「第4の」などは、異なる対象を区別するためのものであり、特定の順序を示すものではない。さらに、用語「含む（including）」、「備える（comprising）」、またはこれらの任意の他の異形は、非排他的包含に該当するものである。例えば、一連のステップまたはユニットを含むプロセス、方法、システム、製品、またはデバイスは、列挙されたステップまたはユニットに限定されず、任意選択で、列挙されていないステップまたはユニットをさらに含むか、また任意選択で、プロセス、方法、製品、またはデバイスの別の固有のステップまたはユニットをさらに含む。
【００５７】
実施形態1
本発明の実施形態1は、無線インターフェース技術を使用するための方法を提供し、これにより、複数の無線インターフェース技術のためのリソース構成の柔軟性を改善し、その結果、無線リソース利用率を改善する。
【００５８】
図2に示した実施形態1の実施方法は、以下のステップを含み得る。
【００５９】
201．基地局がセルの周波数帯をN個の周波数範囲に分割するステップであって、N個の周波数範囲のそれぞれが1つの無線インターフェース技術をサポートし、セルが少なくとも2つの無線インターフェース技術をサポートし、Nが整数であり、N≧2である、ステップ。
【００６０】
システムのためにネットワークプランニングを実行するとき、セルの全周波数帯は、N個の周波数範囲に分割されてもよい。基地局は、ネットワークプランニングの結果に従ってN個の周波数範囲のそれぞれと無線インターフェース技術との対応関係を確立し、周波数範囲ごとに周波数帯情報を設定し、無線インターフェース技術の特性情報を設定する。
【００６１】
システムのためにプランニングされる周波数範囲は、共通周波数範囲および専用周波数範囲を含むか、または専用周波数範囲のみを含む。
【００６２】
共通周波数範囲は、N個の周波数範囲によってサポートされる無線インターフェース技術によって共有される周波数範囲であり、共通チャネルによって要求される無線リソースまたは共通チャネルおよびシグナリングベアラSRBによって要求される無線リソースを含む。共通チャネルは、同期チャネル、セル固有基準信号、ブロードキャストチャネル、ページングチャネル、またはランダム・アクセス・チャネルを含む。共通周波数範囲は、DRBによって要求される無線リソースをさらに含んでもよい。
【００６３】
セル内のすべてのユーザ機器UEは、共通周波数範囲を使用して、初期ネットワークアクセスに関連するプロセスを完了してもよい。
【００６４】
UEは、共通周波数範囲のページングチャネルを使用してシステム・ページング・メッセージを受信してもよい。
【００６５】
セルのシステムブロードキャスト情報を読み取った後、UEは、共通周波数範囲のランダム・アクセス・チャネルを使用してワイヤレスネットワークにアクセスしてもよいし、専用周波数範囲のランダム・アクセス・チャネルを使用してワイヤレスネットワークにアクセスしてもよい。
【００６６】
専用周波数範囲は、各無線インターフェース技術によって個別に使用される周波数範囲であり、サービス伝送に使用される無線リソースを持ち、特定のサービスを伝送する役割を果たす。ネットワークまたはユーザがサービスを開始すると、基地局は、専用周波数範囲または共通周波数範囲に、サービス伝送を行うデータ無線ベアラDRBを確立する。
【００６７】
UEがネットワークにアクセスした後、基地局は、DRBを確立する前に、セルの共通周波数範囲または専用周波数範囲にユーザのシグナリングベアラを確立して、共通周波数範囲または専用周波数範囲を使用して基地局とユーザとの間でRRCシグナリングメッセージを伝送する必要がある。ユーザのシグナリングベアラが確立されていたら、基地局は、UEがネットワークにアクセスした後にシグナリングベアラを確立する必要はない。
【００６８】
セルのN個の周波数範囲が専用周波数範囲しか含まない場合、DRBに加えて、専用周波数範囲は、共通チャネルおよびSRBを搬送するための無線リソースをさらに含む。共通チャネルは、同期チャネル、セル固有基準信号、ブロードキャストチャネル、ページングチャネル、またはランダム・アクセス・チャネルを含む。ユーザは、専用周波数範囲のランダム・アクセス・チャネルで初期ランダムアクセスを完了する。
【００６９】
ユーザが初期ネットワークアクセスを実行するとき、専用周波数範囲が共通チャネルを含む場合、ユーザは、開始されるサービスの種類に従って、使用する専用周波数範囲を選択し、その専用周波数範囲で初期ネットワークアクセスを完了してもよい。さらに、ユーザがネットワークにアクセスするとき、基地局は、専用周波数範囲にSRBをさらに確立してもよい。
【００７０】
202．基地局が、N個の周波数範囲の周波数帯情報、N個の周波数範囲と無線インターフェース技術との対応関係、または無線インターフェース技術の特性情報、およびセルのランダム・アクセス・リソース情報をUEに送信するステップであって、ランダム・アクセス・リソース情報が、セルにアクセスするために、またはセルとのアップリンク同期を実行するためにUEによって使用される、ステップ。
【００７１】
UEの電源が入れられた後、共通周波数範囲の同期チャネルが、システム同期を実行し、システム同期を維持するために使用されてもよい。システム同期が実行された後、ユーザは、共通周波数範囲のシステム・ブロードキャスト・メッセージからセルのシステムブロードキャストを取得してもよい。システム・ブロードキャスト・メッセージは、セルのすべての共通情報を含んでもよい。例えば、共通周波数範囲のシステム・ブロードキャスト・メッセージは、共通周波数範囲の周波数帯の帯域幅に加えて、専用周波数範囲の周波数帯情報を含む。したがって、ユーザは、共通周波数範囲のシステム・ブロードキャスト・メッセージを使用して、セルの専用周波数範囲の周波数帯情報を学習し得る。周波数帯情報は、専用周波数範囲の帯域幅および中心周波数を含む。共通周波数範囲のシステム・ブロードキャスト・メッセージは、共通周波数範囲と無線インターフェース技術との対応関係および専用周波数範囲と無線インターフェース技術との対応関係を含み、共通周波数範囲のランダム・アクセス・チャネルおよび専用周波数範囲のランダム・アクセス・チャネルを含む。共通周波数範囲のシステム情報は、専用周波数範囲によってサポートされる無線インターフェース技術の関連特性情報をさらに含んでもよい。代替的には、共通周波数範囲のシステム・ブロードキャスト・メッセージは、共通周波数範囲に関連するセル情報しか含まなくてもよく、例えば、
共通周波数範囲の周波数帯情報、共通周波数範囲と無線インターフェース技術との対応関係、および共通周波数範囲のランダム・アクセス・チャネルしか含まなくてもよい。共通周波数範囲のシステムブロードキャスト情報が、専用周波数範囲の周波数帯情報または専用周波数範囲によってサポートされる無線インターフェース技術の関連特性情報を含まない場合、UEが共通周波数範囲を使用してネットワークに成功裏にアクセスした後、基地局は、RRCシグナリングを使用して、UEのために専用周波数範囲の周波数帯情報を構成してもよい。
【００７２】
基地局による分割によって得られたN個の周波数範囲が、専用周波数範囲しか含まない場合、ユーザは、システム同期を実行し、システム同期を維持するために専用周波数範囲の同期チャネルを使用する。ユーザは、専用周波数範囲のシステム情報を使用してセルの共通情報を取得する。しかしながら、専用周波数範囲は、専用周波数範囲の周波数帯情報、専用周波数範囲と無線インターフェース技術との対応関係、または専用周波数範囲のランダム・アクセス・チャネルなどの、専用周波数範囲に関連する、セルの共通情報しかブロードキャストし得ない。ユーザはまた、基地局によって送信された、専用周波数範囲のページングメッセージを聞いてもよい。
【００７３】
基地局は、システム・ブロードキャスト・メッセージを使用して、セルのランダム・アクセス・チャネルRACH（random access channel）をユーザに送信する。基地局は、共通周波数範囲のシステム情報を使用してRACH情報をブロードキャストしてもよく、この場合、ランダム・アクセス・リソースは、共通周波数範囲に配置されるか、または専用周波数範囲に配置される。代替的には、基地局は、専用周波数範囲のシステム情報を使用してRACH情報をブロードキャストしてもよく、この場合、ランダム・アクセス・リソースは、専用周波数範囲に配置される。
【００７４】
203．基地局が、UEのサービスベアラDRBをN個の周波数範囲の少なくとも1つの周波数範囲にマッピングするステップであって、DRBのそれぞれが、少なくとも1つの周波数範囲のうちの1つに対応し、少なくとも1つの周波数範囲のそれぞれが、DRBの少なくとも1つに対応する、ステップ。
【００７５】
UEがネットワークにアクセスした後、サービス伝送が開始されてもよい。サービス伝送は、ネットワークによって開始されてもよいし、UEによって開始されてもよい。サービスを伝送するために使用されるDRBと無線インターフェース技術との間のマッピング関係は、UEにサービスを伝送するために基地局によって、決定される必要があり、使用される。DRBと無線インターフェース技術との間のマッピング関係は、基地局によって確立される。基地局は、マッピング関係をUEに送信する。
【００７６】
基地局は、UEによって開始されたサービス要求に従って、要求を開始したサービスの種類を取得し、サービスの種類に従ってサービスと周波数範囲との間のマッピング関係を確立し、これにより、サービスを搬送するDRBと周波数範囲との間のマッピング関係を確立する。ステップ201では、基地局によって、周波数範囲と無線インターフェース技術との間のマッピング関係が決定されるため、サービスと無線インターフェース技術との対応関係およびサービスを搬送するDRBと無線インターフェース技術との対応関係がさらに決定されてもよい。DRBは、専用周波数範囲または共通周波数範囲に対応してもよい。基地局は、UEがサービス要求を開始したときに、サービスと無線インターフェース技術との対応関係を決定してもよいし、UEがサービス要求を開始する前に、サービスと無線インターフェース技術との対応関係を決定していてもよい。UEのDRBごとに、基地局は、DRBがマッピングされる周波数範囲を指定する。基地局は、UEのすべてのDRBを同じ周波数範囲または異なる周波数範囲にマッピングしてもよい。各DRBは、1つの周波数範囲にのみマッピングされ得る。
【００７７】
UEがネットワークに最初にアクセスするとき、すなわち、基地局がUEのDRBを、DRBがマッピングされる必要がある周波数範囲にマッピングする前、基地局は、UEのためにシグナリングベアラSRBを確立し、UEのSRBをN個の周波数範囲の少なくとも1つの周波数範囲にマッピングする必要があることに留意されたい。SRBのそれぞれは、少なくとも1つの周波数範囲の1つに対応し、少なくとも1つの周波数範囲のそれぞれは、SRBの少なくとも1つに対応する。基地局は、SRBがマッピングされる周波数範囲によってサポートされる無線インターフェース技術を使用して、無線リソース制御RRCシグナリングをUEに送信する。RRCシグナリングは、UEのサービスベアラを確立するために使用される。
【００７８】
UEがネットワークにアクセスすると、基地局は、UEのSRBと周波数範囲との間のマッピング関係を確立する。ステップ201では、基地局によって、各周波数範囲と無線インターフェース技術との間のマッピング関係が決定されるため、UEのSRBと無線インターフェース技術との対応関係がさらに決定されてもよい。
【００７９】
基地局は、RRCシグナリングなどの第1の指示情報をUEに送信する。第1の指示情報は、SRBがマッピングされる必要がある周波数範囲をUEに示すために使用されるか、または、第1の指示情報は、SRBがマッピングされる必要がある周波数範囲およびUEのDRBの少なくとも1つがマッピングされる必要がある周波数範囲をUEに示すために使用される。
【００８０】
セルの周波数範囲が、専用周波数範囲しか含まず、共通周波数範囲を除外する場合、基地局は、UEのSRBを対応する専用周波数範囲にマッピングする。ステップ401で説明したように、この場合、UEは、開始されるサービスの種類に従って、対応する専用周波数範囲を選択し、ネットワークにアクセスすることが理解され得る。したがって、基地局は、UEのSRBを、UEによって選択される専用周波数範囲にマッピングする。UEのSRBごとに、基地局は、SRBがマッピングされる周波数範囲を指定する。基地局は、UEのすべてのSRBを同じ周波数範囲または異なる周波数範囲にマッピングしてもよい。各SRBは、1つの周波数範囲にのみマッピングされ得る。
【００８１】
204．基地局が指示情報をUEに送信するステップであって、指示情報が、DRBがマッピングされる必要がある周波数範囲を示すために使用される、ステップ。
【００８２】
サービスと無線インターフェース技術との対応関係を決定した後、基地局は、RRCシグナリングなどの指示情報をUEに送信し、指示情報を使用して、サービスを搬送するDRBと無線インターフェース技術との対応関係をUEに通知する。無線インターフェース技術は、サービスのために基地局によって選択される周波数範囲によってサポートされる無線インターフェース技術である。
【００８３】
205．基地局が、DRBがマッピングされた周波数範囲によってサポートされる無線インターフェース技術を使用して、サービスベアラDRBで搬送されるサービスをUEに伝送するステップ。
【００８４】
基地局は、ステップ203で決定された、各DRBがマッピングされた周波数範囲と、周波数範囲によってサポートされる無線インターフェース技術とを使用して、DRBで搬送されるサービスをUEに伝送する。
【００８５】
本発明は、前述のステップの実行順序を限定するものではないことに留意されたい。例えば、N個の周波数範囲の周波数帯情報、N個の周波数範囲と無線インターフェース技術との対応関係、または無線インターフェース技術の特性情報は、異なる場合に応じて、解決策が実行される期間内の任意の時点で送信されてもよい。
【００８６】
本発明の実施形態1で提供される複数の無線インターフェース技術を使用するための方法によれば、各無線インターフェース技術によって使用される周波数範囲は、セルの全周波数範囲内でプランニングすることができ、共通チャネルによって使用されるリソース、シグナリング無線ベアラ、およびサービスベアラは、周波数領域でプランニングすることができ、これにより、無線リソース構成の柔軟性が改善され、その結果、無線リソース利用率が改善されることが学習され得る。
【００８７】
実施形態2
本発明の実施形態2は、無線インターフェース技術を使用するための方法を提供し、これにより、複数の無線インターフェース技術のためのリソース構成の柔軟性を改善し、その結果、無線リソース利用を改善する。
【００８８】
実施形態1で説明した方法では、基地局は、セルの周波数帯をN個（Nは整数であり、N≧2である）の周波数範囲に分割する。N個の周波数範囲ごとに1つの無線インターフェース技術が、のそれぞれに使用され、各セルは、少なくとも2つの無線インターフェース技術をサポートする。セルは、少なくとも2つの異なる無線インターフェース技術をサポートする。異なる無線インターフェース技術は、異なるフレーム構造または異なる多重アクセスモードを有するか、または異なるハイブリッド自動再送要求（HARQ、Hybrid automatic retransmission request）往復時間を使用する無線インターフェース技術である。
【００８９】
本発明の実施形態2では、基地局は、セルの周波数帯を2つの周波数範囲に分割する。各周波数範囲は、1つの無線インターフェース技術に対応する。
【００９０】
セルが2つの異なる無線インターフェース技術をサポートすると仮定する。例えば、2つの無線インターフェース技術は、異なる多重アクセスモードを有する。多重アクセスモードは、OFDMA、シングルキャリア周波数分割多元接続SC−FDMA、および疎コード多重アクセス（SCMA、Sparse Code Multiple Access）などを含む。一部の特定の実現可能な実施態様では、2つのアクセス技術のそれぞれが、OFDM変調技術を使用してもよい。しかしながら、一方の無線インターフェース技術は、大規模接続マシン間通信（M2M、Machine to machine）サービス（例えば、SCMAモード）を最適化し、もう一方の無線インターフェース技術は、既存のLTE技術のOFDMアクセスモードを使用する。SCMA技術の原理は、時間周波数リソースが同じままでより多くのサービスユーザに対応するためにコードドメイン非直交拡張および重ね合わせ方式を使用することであり、これにより、ユーザエクスペリエンスが影響を受けないことを前提に、全体のネットワークスループットが向上し得る。CDMA技術と同様に、SCMA技術は、周波数領域符号語を拡張する方法で、1つのシステム・リソース・ブロックに複数の符号語を重ね合わせて伝送することにより、マルチキャリアシステムの情報伝送速度を向上させる。周波数領域符号語は、低密度パリティ検査（LDPC、Low Density Parity−check Codes）スパース行列方式で重ね合わされる。受信側は、符号語に関する情報を復号化して元の情報を復元するために、比較的複雑度の低いデコーダを使用してもよい。
【００９１】
別の例では、2つの無線インターフェース技術は、異なるフレーム構造を有する。異なるフレーム構造は、伝送時間間隔（TTI、transmission time interval）、サイクリックプレフィックス（CP、Cyclic prefix）長、OFDMシンボルの持続時間、サブキャリア間隔、およびTDDアップリンク−ダウンリンクサブフレーム構成を含む、異なるフレーム構造特性によって表される。一部の特定の実現可能な実施態様では、2つの無線インターフェース技術に関して、一方の無線インターフェース技術は、超低遅延M2Mサービスを最適化し、既存のLTE技術で使用されるのとは異なる0．1msのTTI長を使用し、もう一方の無線インターフェース技術は、既存のLTE技術で使用される1msのTTI長を使用する。
【００９２】
さらに別の例では、2つの無線インターフェース技術は、同じフレーム構造を有するが、2つの無線インターフェース技術によって使用されるハイブリッド自動再送要求HARQ往復時間（RRT、round trip time）は異なる。例えば、一方の無線インターフェース技術によって使用されるHARQ RTTは、4つのTTIの長さであり、もう一方の無線インターフェース技術によって使用されるHARQ RTTは、8つのTTIの長さである。
【００９３】
さらに別の例では、2つの無線インターフェース技術は、それぞれ、既存のLTE無線インターフェース技術でユニキャストサービスに使用される無線インターフェース技術、および既存のLTE無線インターフェース技術でマルチメディア・ブロードキャスト・マルチキャスト・サービス（MBMS、Multimedia broadcast multicast service）に使用される無線インターフェース技術である。異なる無線インターフェース技術を使用する周波数分割によって生じる、周波数範囲間の干渉を回避するために、フィルタリングOFDM（filtered OFDM）、フィルタ・バンク・マルチキャリア（FBMC、filter bank multiple carrier）、一般化された周波数分割多重化（GFDM、Generalized Frequency Division Multiplexing）、または他の既存の技術などのフィルタリング技術が、異なる周波数範囲に使用されてもよい。
【００９４】
基地局は、ネットワークプランニングの結果に従って2つの周波数範囲と無線インターフェース技術との対応関係を確立し、周波数範囲ごとに周波数帯情報を設定し、無線インターフェース技術の特性情報を設定する。次に、基地局は、分割によって得られた周波数範囲の周波数帯情報、周波数範囲と無線インターフェース技術との対応関係、または無線インターフェース技術の特性情報をUEに送信する。基地局によって実施される後続のステップは、実施形態1と一致する。ここでは詳細について再度説明しない。
【００９５】
実施形態3
本発明の実施形態3は、無線インターフェース技術を使用するための方法を提供し、これにより、複数の無線インターフェース技術のためのリソース構成の柔軟性を改善し、その結果、無線リソース利用率を改善する。
【００９６】
実施形態1で説明した方法では、基地局は、セルの周波数帯をN個（Nは整数であり、N≧2である）の周波数範囲に分割する。N個の周波数範囲ごとに1つの無線インターフェース技術が使用され、各セルは、少なくとも2つの異なる無線インターフェース技術をサポートする。異なる無線インターフェース技術は、異なるフレーム構造または異なる多重アクセスモードを有するか、または異なるハイブリッド自動再送要求HARQ往復時間を使用する無線インターフェース技術である。
【００９７】
システムのためにプランニングされる周波数範囲は、共通周波数範囲および専用周波数範囲を含むか、または専用周波数範囲のみを含む。
【００９８】
共通周波数範囲は、N個の周波数範囲によってサポートされる無線インターフェース技術によって共有される周波数範囲であり、共通チャネルによって要求される無線リソースまたは共通チャネルおよびSRBに対応する無線リソースを含む。共通チャネルは、同期チャネル、セル固有基準信号、ブロードキャストチャネル、ページングチャネル、またはランダム・アクセス・チャネルを含む。共通周波数範囲は、DRBによって要求される無線リソースをさらに含んでもよい。セル内のすべてのUEは、共通周波数範囲を使用して、初期ネットワークアクセスに関連するプロセスを完了してもよい。
【００９９】
専用周波数範囲は、各無線インターフェース技術によって個別に使用される周波数範囲であり、サービス伝送に使用される無線リソースを持ち、特定のサービスを伝送する役割を果たす。ネットワークまたはユーザがサービスを開始すると、基地局は、専用周波数範囲または共通周波数範囲に、サービス伝送を行うデータ無線ベアラDRBを確立する。専用周波数範囲は、SRBによって要求される無線リソースをさらに含んでもよい。
【０１００】
本発明の実施形態3は、N個の周波数範囲が共通周波数範囲および専用周波数範囲を含む場合に共通周波数範囲および専用周波数範囲の中心周波数を設定するための方法を提供する。2つの設定方法がある。
【０１０１】
第1の方法は、共通周波数範囲の中心周波数の位置は不変であり、セルの周波数帯の中心位置である。具体的には、図3aを参照すると、システムは、セルの全周波数帯を、3つの専用周波数範囲と1つの共通周波数範囲の4つの部分に分割する。共通周波数範囲は、セルの全周波数帯の中心位置にあり、3つの専用周波数範囲は、周波数領域の位置に関して共通周波数範囲の両側に位置する。
【０１０２】
この設定方法は、UEのセルサーチプロセスおよびダウンリンク同期処理のプロセスを簡単にし得る。システムが無線インターフェース技術およびサービスリソースを再構成する場合、無線インターフェース技術またはサービスに対応する専用周波数範囲のリソース位置が変更されてもよい。したがって、セルの周波数帯における無線インターフェース技術またはサービスの位置は変化し、無線インターフェース技術またはサービスに対応する周波数帯は、セルの周波数帯の複数の位置にある。例えば、システム再構成後に、モバイルブロードバンド（MBB、mobile broadband）サービスの帯域幅が減少すると、システムは、レイテンシクリティカルMBB（latency critical MBB）サービスのためにセルの周波数帯のいくつかの周波数帯を確保する。この場合、latency critical MBBサービスに対応する周波数帯は、latency critical MBBサービスの元の位置および確保された元のMBB位置にあり、したがって、レイテンシクリティカルMBBサービスに対応する周波数帯は、共通周波数範囲の左側および右側の位置に分散されてもよい。
【０１０３】
第2の方法では、共通周波数範囲の中心周波数は、セルの周波数帯の中心位置にはなく、共通周波数範囲の中心位置は、柔軟性があり、セルの周波数帯内で可変である。具体的には、図3−bを参照すると、システムは、セルの全周波数帯を、3つの専用周波数範囲と1つの共通周波数範囲の4つの部分に分割する。共通周波数範囲は、セルの周波数帯の中心位置にはない。
【０１０４】
第2の設定方法では、共通周波数範囲は、セル帯域幅の中央位置になくてもよい。これは、異なる無線インターフェース技術または異なるサービスに対応する周波数帯の柔軟なリソースの割り当てに役立ち、例えば、無線インターフェース技術またはサービスに対応する周波数帯がセルの周波数帯の複数の位置になるという第1の設定方法の問題を解決するのに役立つ。
【０１０５】
第2の設定方法におけるUEの無線周波数処理プロセスは、第1の設定方法とは異なる。例えば、第2の設定方法では、UEが初期アクセスを実行するとき、最初にUEのトランシーバを、セルサーチ、同期処理、およびランダムアクセスのプロセスを実施するための共通周波数範囲の中心周波数に合わせる必要があり、トランシーバは、その後サービスが開始されたとき、受信および送信を実行するための別の周波数チャネルに合わせられ得る。第1の設定方法では、UEが初期アクセスを実行するとき、UEのトランシーバは、共通周波数範囲の中心周波数に合わせられる。共通周波数範囲の中心周波数は、セルの周波数帯の中心周波数であるため、その後UEがサービスを開始したとき、UEのトランシーバの中心周波数はそのままであってもよいので、無線周波数変換待ち時間を回避し得る。
【０１０６】
セル内のすべてのUEは、共通周波数範囲を使用して、ワイヤレス・ネットワーク・アクセスに関連するプロセスを完了してもよい。
【０１０７】
実施形態1で説明したように、基地局は、N個の周波数範囲の周波数帯情報、N個の周波数範囲と無線インターフェース技術との対応関係、または無線インターフェース技術の特性情報、およびセルのランダム・アクセス・リソース情報をUEに送信する。UEは、ランダム・アクセス・リソース情報に従って、セルにアクセスするか、またはセルとのアップリンク同期を実行する。
【０１０８】
UEがネットワークにアクセスした後、サービスが開始されると、基地局は、UEの各サービスベアラDRBを複数の周波数範囲の指定の周波数範囲にマッピングし、周波数範囲によってサポートされる無線インターフェース技術を使用してUEにサービスを伝送する。
【０１０９】
UEがネットワークにアクセスした後、サービス伝送が開始されてもよい。サービス伝送は、ネットワークによって開始されてもよいし、UEによって開始されてもよい。サービスを伝送するために使用されるDRBと無線インターフェース技術との間のマッピング関係は、UEにサービスを伝送するために基地局によって、決定される必要があり、使用される。DRBと無線インターフェース技術との間のマッピング関係は、基地局によって確立される。基地局は、マッピング関係をUEに送信する。
【０１１０】
UEのDRBごとに、基地局は、DRBがマッピングされる周波数範囲を指定する。基地局は、UEのすべてのDRBを同じ周波数範囲または異なる周波数範囲にマッピングしてもよい。しかしながら、1つのDRBは、1つの周波数範囲にのみマッピングされ得る。
【０１１１】
サービスと無線インターフェース技術との対応関係を決定した後、基地局は、RRCシグナリングなどの指示情報を使用して、DRBがマッピングされる必要がある周波数範囲をUEに通知し、この場合、DRBは、サービスを搬送するために使用される。UEは、サービス用のDRBを周波数範囲にマッピングし、周波数範囲によってサポートされる無線インターフェース技術を使用して基地局にサービスを伝送する。
【０１１２】
UEのDRBを周波数範囲にマッピングすることは、DRBによって周波数範囲の物理層リソースを使用すること、または、DRBによって周波数範囲の物理層リソースおよび周波数範囲に対応する媒体アクセス制御MAC層エンティティを使用することを含む。
【０１１３】
実施形態1で説明したように、UEがネットワークに最初にアクセスする場合、基地局は、UEがワイヤレスネットワークにアクセスするとき、UEのSRBをN個の周波数範囲の少なくとも1つの周波数範囲にマッピングする必要がある。SRBのそれぞれは、少なくとも1つの周波数範囲の1つに対応し、少なくとも1つの周波数範囲のそれぞれは、SRBの少なくとも1つに対応する。基地局は、SRBがマッピングされる周波数範囲によってサポートされる無線インターフェース技術を使用して、無線リソース制御RRCシグナリングをUEに送信する。RRCシグナリングは、UEのサービスベアラを確立するために使用される。UEのSRBごとに、基地局は、SRBに対応する周波数範囲を指定する。基地局は、UEのすべてのSRBを同じ周波数範囲または異なる周波数範囲にマッピングしてもよい。しかしながら、1つのSRBは、1つの周波数範囲にのみマッピングされ得る。
【０１１４】
基地局は、RRCシグナリングなどの第1の指示情報を使用して、UEのSRBがマッピングされる必要がある周波数範囲をUEに通知するか、またはUEのSRBがマッピングされる必要がある周波数範囲およびUEのDRBの少なくとも1つがマッピングされる必要がある周波数範囲をUEに通知する。RRCシグナリングを受信した後、UEは、UEのSRBを周波数範囲にマッピングし、周波数範囲によってサポートされる無線インターフェース技術を使用して基地局に無線リソース制御RRCシグナリングを伝送する。
【０１１５】
UEのSRBを周波数範囲にマッピングすることは、SRBによって周波数範囲の物理層リソースを使用すること、または、SRBによって周波数範囲の物理層リソースおよび周波数範囲に対応する媒体アクセス制御MAC層エンティティを使用することを含む。
【０１１６】
実施形態4
本発明の実施形態4は、無線インターフェース技術を使用するための方法を提供する。無線インターフェース技術を使用するための方法は、セルの周波数帯リソースの割り当てと、無線インターフェース技術に対応する周波数範囲を示すための方法と、UEがシステムにアクセスするプロセスと、UEの無線ベアラ、無線インターフェース技術、および周波数範囲間のマッピングのプロセスと、無線インターフェース技術と周波数範囲との間のマッピング関係の変更とを含む。
【０１１７】
図4−aに示すように、実施形態4の方法は、以下のステップを含み得る。
【０１１８】
411．基地局がセルの全周波数範囲をN個の周波数範囲に分割するステップであって、N個の周波数範囲のそれぞれが1つの無線インターフェース技術をサポートし、セルが少なくとも2つの無線インターフェース技術をサポートし、Nが整数であり、N≧2である、ステップ。
【０１１９】
本実施形態では、基地局は、セルの全周波数範囲を2つの周波数範囲に分割し、2つの異なる無線インターフェース技術を使用する。一方の無線インターフェース技術は、既存のLTE技術であり、共通周波数範囲に対応し、ユーザプレーンで共通チャネルおよびモバイル・ブロードバンド・ユニキャスト・サービスを伝送するために使用される。もう一方の無線インターフェース技術は、既存のLTE技術で使用されるフレーム構造とは異なるフレーム構造を使用する。任意選択で、もう一方の無線インターフェース技術は、SCMAなどの異なる多重アクセス技術または異なるHARQ RTTをさらに使用してもよく、専用周波数範囲に対応し、超低遅延M2Mサービスベアラを伝送するために使用される。本実施形態では、共通周波数範囲によってサポートされる無線インターフェース技術は、LTE無線インターフェース技術である。LTE無線インターフェース技術は、モバイル・ブロードバンド・ユニキャスト・サービスのDRBを搬送し、モバイル・ブロードバンド・ユニキャスト・サービスは、LTE技術によって使用される無線リソース、MACエンティティ、および物理層（PHY）エンティティを使用する。これに対応して、専用周波数範囲は、LTE技術とは異なる無線インターフェース技術を使用する。LTE技術と異なる無線インターフェース技術は、超低遅延M2MサービスのDRBを搬送し、超低遅延M2MサービスのDRBは、LTE技術で使用されるフレーム構造とは異なるフレーム構造を使用する無線インターフェース技術によって使用される無線リソース、MACエンティティ、および物理層（PHY）エンティティを使用する。
【０１２０】
実施形態4の方法以外の方法では、共通周波数範囲は、サービスを伝送するために使用されなくてもよく、共通チャネルに使用される周波数範囲は、個別の周波数範囲であってもよい。例えば、セルの周波数範囲は、3つの周波数範囲に分割される。無線インターフェース技術は、共通周波数範囲に対して個別に使用され、無線インターフェース技術は、モバイル・ブロードバンド・ユニキャスト・サービスおよび超低遅延M2Mサービスにそれぞれ使用される。図4−bに示すように、システムのコントロールプレーンの3つのSRBは、無線インターフェース技術にマッピングされる。無線インターフェース技術は、サービスがマッピングされる無線インターフェース技術とは異なる。
【０１２１】
412．基地局が、N個の周波数範囲の周波数帯情報、N個の周波数範囲と無線インターフェース技術との対応関係、または無線インターフェース技術の特性情報、およびセルのランダム・アクセス・リソース情報をUEに送信するステップであって、ランダム・アクセス・リソース情報が、セルにアクセスするために、またはセルとのアップリンク同期を実行するためにUEによって使用される、ステップ。
【０１２２】
基地局は、以下の方法のうちの1つで、すなわち、
基地局によって、システム・ブロードキャスト・メッセージを送信することにより、各周波数範囲と無線インターフェース技術との対応関係または無線インターフェース技術の特性情報をUEに通知する方法、または
基地局によって、RRCシグナリングメッセージを送信することにより、各周波数範囲と無線インターフェース技術との対応関係または無線インターフェース技術の特性情報をUEに通知する方法、または
基地局によって、媒体アクセス制御MACの制御要素CEを送信することにより、各周波数範囲と無線インターフェース技術との対応関係または無線インターフェース技術の特性情報をUEに通知する方法、または
基地局によって、物理ダウンリンク制御チャネルPDCCHを送信することにより、各周波数範囲と無線インターフェース技術との対応関係または無線インターフェース技術の特性情報をUEに通知する方法で、
各周波数範囲と無線インターフェース技術との対応関係または無線インターフェース技術の特性情報をUEに通知してもよい。
【０１２３】
実施形態4は、共通周波数範囲でブロードキャストされるシステム・メッセージ・コンテンツの一例を提供する。基地局は、共通周波数範囲のブロードキャストメッセージを使用して、各周波数範囲の周波数帯情報、各周波数範囲と無線インターフェース技術との対応関係、および専用周波数範囲によってサポートされる無線インターフェース技術の特性情報をUEに通知してもよい。無線インターフェース技術の特性情報は、多重アクセスモード、フレーム構造、CP長、および物理チャネルなどの特性の組み合わせを含む、無線インターフェース技術の種類と、アップリンク−ダウンリンクサブフレーム構成と、無線インターフェースに固有の物理チャネルリソース構成情報とを含む。本実施形態では、共通周波数範囲のシステム情報は、
共通周波数範囲のシステムフレーム番号（SFN、System frame number）、専用周波数範囲に使用されるSFNと同じであるか、または共通周波数範囲のSFNと整数倍の関係を有するSFN、および共通周波数範囲の帯域幅を含む、共通周波数範囲のマスタ情報ブロック（MIB、Master information block）と、
共通周波数範囲によってサポートされる無線インターフェース技術の識別子と、ダウンリンク帯域幅、開始サブ帯域オフセット周波数、または専用周波数範囲の中心周波数と、専用周波数範囲によってサポートされる無線インターフェース技術の識別子と、多重アクセスモード、フレーム構造、CP長、および物理チャネルなどの特性の組み合わせを含む、無線インターフェース技術の種類とを含み、TDDシステムでは、専用周波数範囲のアップリンク−ダウンリンクサブフレーム構成をさらに含む、共通周波数範囲のシステム情報ブロック1（SIB1、system information block 1）の新規追加情報要素と、
共通周波数範囲によってサポートされる無線インターフェース技術のためのPRACHリソース構成、周波数分割多重化（FDD、frequency division multiplexing）システムでは、アップリンク帯域幅（なお、FDDシステムでは、各無線インターフェース技術によって使用される、システム情報ブロック2に含まれるアップリンク帯域幅は、ダウンリンク帯域幅と異なってもよい）、およびSCMA関連の構成情報などの無線インターフェースに固有の物理層リソース構成情報を含むが、これらに限定されない、共通周波数範囲のシステム情報ブロック2（SIB2、system information block 2）と
を含む。
【０１２４】
基地局が各周波数範囲と無線インターフェース技術との対応関係または無線インターフェース技術の特性情報をUEに通知した後、UEは、開始されるサービスの種類に従って対応する周波数範囲を選択し、ワイヤレス・ネットワーク・アクセス・プロセスを完了してもよい。
【０１２５】
基地局は、システム・ブロードキャスト・メッセージを使用して、セルのランダム・アクセス・チャネルRACHをユーザに送信する。基地局は、共通周波数範囲のシステム情報を使用してRACH情報をブロードキャストしてもよい。ランダム・アクセス・リソースは、共通周波数範囲に配置されてもよいし、専用周波数範囲に配置されてもよい。代替的には、基地局は、専用周波数範囲のシステム情報を使用してRACH情報をブロードキャストしてもよい。ランダム・アクセス・リソースは、専用周波数範囲に配置される。
【０１２６】
UEは、共通周波数範囲のシステム情報からRACHリソース構成情報を取得する。RACHリソース構成情報は、RACHチャネル時間周波数リソースおよびRACH共通リソース構成情報を含む。RACHリソース構成は、共通周波数範囲および／または専用周波数範囲に配置されてもよい。UEは、UEによって選択されたランダム・アクセス・リソースに従ってランダム・アクセス・プロセスを実施する。
【０１２７】
各周波数範囲のRACHリソースは、各周波数範囲によってサポートされる無線インターフェース技術の特性に従って構成される。具体的には、RACHチャネルフォーマットおよびランダム・アクセス・プリアンブル（preamble）などは、各周波数範囲によってサポートされる無線インターフェース技術の特性に従って構成される。例えば、専用周波数範囲のRACHリソースは、超低遅延M2M用の無線インターフェース技術によって使用されるフレーム構造に従って構成される。
【０１２８】
413．基地局が、UEのサービスベアラDRBをN個の周波数範囲の少なくとも1つの周波数範囲にマッピングするステップであって、DRBのそれぞれが、少なくとも1つの周波数範囲のうちの1つに対応し、少なくとも1つの周波数範囲のそれぞれが、DRBの少なくとも1つに対応する、ステップ。
【０１２９】
414．基地局が指示情報をUEに送信するステップであって、指示情報が、DRBがマッピングされる必要がある周波数範囲を示すために使用される、ステップ。
【０１３０】
基地局は、RRCシグナリングを使用して、DRBがマッピングされる必要がある周波数範囲をUEに通知し、この場合、DRBは、サービスを搬送するために使用される。
【０１３１】
基地局は、RRC接続再構成（RRCConnectionReconfiguration）メッセージをUEに送信し、データ無線ベアラ（DRB、data radio bearer）と無線インターフェース技術との間のマッピング関係を構成してもよい。DRBは、対応する無線インターフェース技術のMAC層および物理層にマッピングされる。例えば、超低遅延M2MサービスのDRBは、超低遅延M2Mに対応する無線インターフェース技術にマッピングされ、モバイル・ブロードバンド・ユニキャスト・サービスのDRBは、LTE技術の無線インターフェース技術にマッピングされる。
【０１３２】
図4−cは、DRBと無線インターフェース技術との間のマッピング関係の一例を示す。DRB1およびDRB2は、無線インターフェース技術1を使用し、セルのある周波数範囲に対応し、無線インターフェース技術1の無線リソース、MACエンティティ、およびPHYエンティティを使用する。DRB3は、DRB1およびDRB2によって使用される無線インターフェース技術とは異なる無線インターフェース技術2を使用し、セルの別の周波数範囲に対応し、無線インターフェース技術2の無線リソース、MACエンティティ、およびPHYエンティティを使用する。本実施形態では、無線インターフェース技術1がLTE無線インターフェース技術であり、無線インターフェース技術2がマシン間（M2M、machine to machine）無線インターフェース技術であるか、または、無線インターフェース技術1がM2M無線インターフェース技術であり、無線インターフェース技術2がLTE無線インターフェース技術である。
【０１３３】
UEがネットワークに最初にアクセスする場合、基地局は、DRBを確立する前に、UEのSRBをN個の周波数範囲の少なくとも1つの周波数範囲にマッピングすることに留意されたい。SRBのそれぞれは、少なくとも1つの周波数範囲の1つに対応し、少なくとも1つの周波数範囲のそれぞれは、SRBの少なくとも1つに対応する。基地局は、周波数範囲によってサポートされる無線インターフェース技術を使用して、無線リソース制御RRCシグナリングをUEに伝送する。RRCシグナリングは、UEのサービスベアラを確立するために使用される。
【０１３４】
従来技術では、シグナリング無線ベアラは、3つのSRB、すなわち、SRB0、SRB1、およびSRB2を含み、異なる制御シグナリングを伝送するために使用される。共通制御チャネル（CCCH、common control channel）にマッピングされるSRB0は、専用制御チャネル（dedicated control channel）を確立する前に制御シグナリングを伝送するために使用され、専用制御チャネル（dedicated control channel）にマッピングされるSRB1およびSRB2は、UEの専用制御シグナリングを伝送するために使用される。
【０１３５】
基地局は、RRCシグナリングをUEに送信する。RRCシグナリングは、SRBがマッピングされる必要がある周波数範囲をUEに示すために使用される。
【０１３６】
具体的には、UEがセルに最初にアクセスするとき、UEは、SRB0を使用して無線リソース制御接続要求（RRCConnectionRequest）メッセージを基地局に送信する。メッセージは、ランダム・アクセス・プロセス中にメッセージ3で基地局に送信される。基地局は、UEのメッセージに応答し、SRB0を使用して、無線リソース制御接続設定（RRCConnectionSetup）メッセージをUEに送信する。基地局は、SRB1がマッピングされる必要がある周波数範囲をメッセージで示す。SRB1を成功裏に確立した後、UEは、SRB1を使用して無線リソース制御接続設定完了（RRCConnectionSetupComplete）メッセージを基地局に送信する。基地局は、SRB1を使用して無線リソース制御接続再構成（RRCConnectionReconfiguration）メッセージをUEに送信し、UEのためにSRB2およびサービスベアラDRBを構成する。メッセージは、SRB2およびサービスベアラDRBがマッピングされる必要がある周波数範囲を示す。
【０１３７】
UEがターゲットセルにハンドオーバされたら、ターゲット基地局は、SRB1、SRB2、およびDRBがマッピングされる必要がある周波数範囲に関する情報ならびにランダム・アクセス・リソース情報をソース基地局に送信する。ソース基地局は、モビリティ制御情報（mobility control information）を搬送する無線リソース制御接続再構成メッセージをUEに送信し、ターゲット基地局の前述の構成情報をUEに送信する。
【０１３８】
ベアラ分離システムにおいて、基地局によってUEに送信される無線リソース制御接続再構成メッセージは、セカンダリ・サービングセルSCellのDRBがマッピングされる必要がある周波数範囲を含んでもよい。この場合、無線リソース制御接続再構成メッセージは、プライマリ・サービングセルPCellのSRB1を使用してUEに送信される。無線リソース制御接続再構成メッセージは、セカンダリ・サービングセルSCellのSRB1またはSRB2の、SCellの周波数範囲に関する情報をさらに含む。
【０１３９】
UEがネットワークにアクセスするとき、前述の3つのSRBがマッピングされる必要がある周波数範囲が確立される。任意選択で、基地局は、UEの3つのSRBを共通周波数範囲にマッピングする。
【０１４０】
基地局は、RRCシグナリングメッセージを使用して、UEのSRBと無線インターフェース技術との対応関係をUEに通知する。無線インターフェース技術は、前述のステップで基地局によって選択される周波数範囲によってサポートされる無線インターフェース技術である。本実施形態では、基地局は、RRC接続設定（RRCConnectionSetup）メッセージをUEに送信し、シグナリング無線ベアラSRB1がマッピングされる必要がある周波数範囲を構成してもよい。SRB1は、対応する無線インターフェース技術のMAC層および物理層にマッピングされる。すなわち、SRB1は、LTE技術のMAC層および物理層にマッピングされる。基地局は、RRC接続設定（RRCConnectionSetup）メッセージをUEに送信し、シグナリング無線ベアラSRB2がマッピングされる必要がある周波数範囲を構成してもよい。SRB2は、対応する無線インターフェース技術のMAC層および物理層にマッピングされる。すなわち、SRB2は、LTE技術のMAC層および物理層にマッピングされる。
【０１４１】
任意選択で、RRC再構成シグナリングは、UEのサービスに使用される無線インターフェース技術、および無線インターフェース技術に対応する周波数範囲を示す。具体的には、DRBがマッピングされる必要がある周波数範囲およびSRB2がマッピングされる必要がある周波数範囲が構成される。
【０１４２】
RRC接続再構成メッセージの新規追加情報要素は、
無線インターフェース技術に対応する識別子および無線インターフェース技術の種類（多重アクセスモード、フレーム構造、CP長、および物理チャネルなどの特性の組み合わせを含む）を含む、無線インターフェース技術の追加／変更リスト情報要素と、
ダウンリンク帯域幅、開始サブ帯域オフセット周波数、または専用周波数範囲の中心周波数と、
TDDシステムでは、専用周波数範囲のアップリンク−ダウンリンクサブフレーム構成などと、
無線インターフェース技術に対応する識別情報を少なくとも含む、無線インターフェース技術のリリースリスト情報要素と
を含むが、これらに限定されない。
【０１４３】
追加／変更リスト情報要素は、DRBがマッピングされる必要がある周波数範囲およびSRBがマッピングされる必要がある周波数範囲を含む。
【０１４４】
基地局およびUEは、異なる無線インターフェース技術を通信に使用してもよい。無線インターフェース技術は、異なるサービスに使用され、対応する無線リソースを使用する。異なるUEが異なる無線インターフェース技術を使用し得ることが理解され得る。
【０１４５】
414．基地局が、DRBがマッピングされた周波数範囲によってサポートされる無線インターフェース技術を使用して、サービスベアラDRBで搬送されるサービスをUEに伝送するステップ。
【０１４６】
基地局は、ステップ413で決定された、各DRBがマッピングされた周波数範囲と、周波数範囲によってサポートされる無線インターフェース技術とを使用して、DRBで搬送されるサービスをUEに伝送する。
【０１４７】
415．セルの負荷状態が変化したときまたは無線リソースに対するUEのサービスの要求が変化したとき、基地局が、無線インターフェース技術に対応する帯域幅を変更するか、または無線インターフェース技術に対応する周波数範囲を変更するステップ。
【０１４８】
基地局は、システムメッセージ、RRCシグナリング、MAC制御要素（CE、control element）、または物理ダウンリンク制御チャネル（PDCCH、physical downlink control channel）を使用して、無線インターフェース技術に対応する帯域幅の変更または無線インターフェース技術に対応する新しい帯域幅および新しい周波数範囲をUEに示す。
【０１４９】
例えば、M2Mサービスの負荷がより大きい帯域幅を必要とするとき、基地局は、M2Mサービスに使用される無線インターフェース技術によって使用される帯域幅を増加させ、各無線インターフェース技術に対応する帯域幅を再構成する。
【０１５０】
異なる無線インターフェース技術に対応する周波数範囲が変更される。例えば、超低遅延M2Mサービスを使用するほとんどのUEのワイヤレスステータスが別の周波数範囲でより良好である場合、基地局は、異なる無線インターフェース技術に対応する周波数範囲の変更を前述の方法で通知する。
【０１５１】
無線インターフェース技術に対応する周波数範囲の変更は、無線インターフェース技術および無線インターフェース技術に対応する周波数範囲の追加または削除をさらに含む。UEは、RRCシグナリングまたはシステム情報を使用して通知されてもよい。
【０１５２】
前述のステップによれば、当業者は、無線インターフェース技術と周波数範囲との対応関係を柔軟に変更し得ることを容易に理解する。
【０１５３】
実施形態5
本発明の実施形態5は、無線インターフェース技術を使用するための方法の別の実施態様を提供する。無線インターフェース技術を使用するための方法は、セルの周波数帯リソースの割り当てと、無線インターフェース技術に対応する周波数範囲を示すための方法と、UEがシステムにアクセスするプロセスと、UEの無線ベアラ、無線インターフェース技術、および周波数範囲間のマッピングのプロセスとを含む。
【０１５４】
実施形態5では、セルの全周波数帯が、2つの周波数範囲に分割される。しかしながら、本実施形態の、共通周波数範囲を構成するための方法は、実施形態4とは異なる。本実施形態では、2つの周波数範囲は、両方とも専用周波数範囲であり、異なる無線インターフェース技術をサポートする。さらに、共通周波数範囲は、セルの全周波数帯をカバーする。
【０１５５】
実施形態5の実施方法は、以下のステップを含み得る。
【０１５６】
基地局は、セルの全周波数範囲を2つの専用周波数範囲に分割する。周波数範囲ごとに、異なる無線インターフェース技術が使用される。一方の周波数範囲に使用される無線インターフェース技術は、既存のLTE技術であり、モバイル・ブロードバンド・ユニキャスト・サービスを伝送するために使用される。もう一方の周波数範囲に使用される無線インターフェース技術は、超低遅延M2Mサービスを伝送するために使用され、既存のLTE技術で使用されるフレーム構造とは異なるフレーム構造を使用し、任意選択で、異なる多重アクセス技術（例えば、SCMA）をさらに使用する。本実施形態では、共通周波数範囲が、セルの全周波数帯を占有し、LTE無線インターフェース技術が使用される。共通周波数範囲は、セルの共通チャネルを持つ。共通チャネルは、同期チャネル、セル固有基準信号、ブロードキャストチャネル、ページングチャネル、およびランダム・アクセス・チャネルを含む。
【０１５７】
当業者であれば、本実施形態の共通周波数範囲および専用周波数リソースが、周波数領域で互いに重複し、したがって、セルの共通チャネルも専用周波数範囲にマッピングされることを理解することができる。しかしながら、共通チャネルは、時間周波数などの他の次元では、専用周波数範囲で搬送されるDRBから分離される。
【０１５８】
共通周波数範囲のシステム情報は、セルの全帯域幅でブロードキャストされるシステム情報であり、以下のコンテンツ、すなわち、
セルのシステムフレーム番号（SFN、system frame number）およびセルのダウンリンク全帯域幅を含む、共通周波数範囲のマスタ情報ブロック（MIB、Master information block）と、
現在のセルに使用される無線インターフェース技術に対応する識別子と、専用周波数範囲の周波数帯情報と、専用周波数範囲によってサポートされる無線インターフェース技術の特性と、多重アクセスモード、フレーム構造、CP長、および物理チャネルなどの特性の組み合わせを含む、無線インターフェース技術の種類と、TDDシステムではさらに、専用周波数範囲のアップリンク−ダウンリンクサブフレーム構成と、ダウンリンク帯域幅、開始サブ帯域オフセット周波数、または専用周波数範囲の中心周波数とを含むが、これらに限定されない、共通周波数範囲のシステム情報ブロック1（SIB1、system information block 1）の新規追加情報要素と、
共通周波数範囲によってサポートされる無線インターフェース技術のためのRACHリソース構成、周波数分割多重化（FDD、frequency division multiplexing）システムでは、アップリンク帯域幅（なお、FDDシステムでは、各無線インターフェース技術によって使用される、システム情報ブロック2に含まれるアップリンク帯域幅は、ダウンリンク帯域幅と異なってもよい）、およびSCMA関連の構成情報などの、専用周波数範囲によってサポートされる無線インターフェース技術に固有の物理層リソース構成情報を含むが、これらに限定されない、共通周波数範囲のシステム情報ブロック2（SIB2、system information block 2）と
を含んでもよい。
【０１５９】
基地局は、システム・ブロードキャスト・メッセージを使用して、セルのランダム・アクセス・チャネルRACHをユーザに送信する。本実施形態では、基地局は、共通周波数範囲のシステム情報を使用してRACH情報をブロードキャストする。ランダム・アクセス・リソースは、セルの全周波数帯内に配置されてもよい。
【０１６０】
UEは、共通周波数範囲のシステム情報を使用して、共通周波数範囲の周波数帯情報および専用周波数範囲の周波数帯情報、専用周波数範囲と無線インターフェース技術との対応関係、または無線インターフェース技術の特性情報、ならびにセルのRACHリソース構成情報を取得する。RACHリソース構成情報は、RACH時間周波数リソースおよびRACH共通リソース構成情報を含む。UEは、受信したRACHリソース構成からRACHリソースを選択し、UEによって選択されたRACHリソースに従ってランダム・アクセス・プロセスを実施する。
【０１６１】
UEによってランダムアクセスを実行し、DRBを確立するステップは、実施形態4のステップと一致する。ここでは詳細について再度説明しない。
【０１６２】
UEがネットワークに最初にアクセスする場合、基地局は最初に、UEのためにDRBを確立する前にUEのためにSRBを確立し、UEのシグナリングベアラSRBを指定の周波数範囲にマッピングし、指定の周波数範囲によってサポートされる無線インターフェース技術を使用して無線リソース制御RRCシグナリングをUEに伝送する必要があることに留意されたい。本実施形態では、指定の周波数範囲は、共通周波数範囲であり、周波数領域でセルの全周波数帯を占有するか、または専用周波数範囲であってもよい。
【０１６３】
基地局は、RRCシグナリングなどの第1の指示情報をUEに送信し、この場合、第1の指示情報は、SRBがマッピングされる必要がある周波数範囲をUEに示すために使用される。
【０１６４】
実施形態6
実施形態6は、無線インターフェース技術を使用するための方法を実施する際に基地局側と協働するように端末側で実施される、無線インターフェース技術を使用するためのアクセス方法を提供する。図5に示すように、基地局は、セルの周波数帯をN個の周波数範囲に分割し、この場合、N個の周波数範囲のそれぞれは、1つの無線インターフェース技術をサポートし、Nは整数であり、N≧2である。端末デバイスがワイヤレスネットワークにアクセスするプロセスは以下の通りである。
【０１６５】
501．ユーザ機器UEが、基地局によって送信された、N個の周波数範囲の周波数帯情報、N個の周波数範囲と無線インターフェース技術との対応関係、または無線インターフェース技術の特性情報、およびセルのランダム・アクセス・リソース情報を受信するステップ。
【０１６６】
システムのためにネットワークプランニングを実行するとき、セルの全周波数帯は、N個の周波数範囲に分割されてもよい。N個の周波数範囲の周波数範囲ごとに1つの無線インターフェース技術が使用され、セルは、少なくとも2つの異なる無線インターフェース技術をサポートする。基地局は、ネットワークプランニングの結果に従って、周波数範囲のそれぞれと無線インターフェース技術との対応関係を確立する。次に、基地局は、分割によって得られた周波数範囲の周波数帯情報、周波数範囲と無線インターフェース技術との対応関係、または無線インターフェース技術の特性情報をUEに送信する。
【０１６７】
システムのためにプランニングされる周波数範囲は、共通周波数範囲および専用周波数範囲を含むか、または専用周波数範囲のみを含む。
【０１６８】
共通周波数範囲は、無線インターフェース技術によって共有される周波数範囲であり、共通チャネルおよびSRBに対応する無線リソースを含む。共通チャネルは、同期チャネル、セル固有基準信号、ブロードキャストチャネル、ページングチャネル、またはランダム・アクセス・チャネルを含む。
【０１６９】
セル内のすべてのユーザは、共通周波数範囲を使用して、初期ネットワークアクセスに関連するプロセスを完了してもよい。
【０１７０】
UEの電源を入れた後、ユーザは、システム同期を実行し、システム同期を維持するために共通周波数範囲の同期チャネルを使用してもよい。システム同期が実行された後、ユーザは、共通周波数範囲のシステム・ブロードキャスト・メッセージからセルのシステムブロードキャストを取得してもよい。システム・ブロードキャスト・メッセージは、セルのすべての共通情報を含む。例えば、共通周波数範囲のシステム・ブロードキャスト・メッセージは、共通周波数範囲の周波数帯の帯域幅に加えて、専用周波数範囲の周波数帯情報を含む。したがって、ユーザは、共通周波数範囲のシステム・ブロードキャスト・メッセージを使用して、セルの専用周波数範囲の周波数帯情報を学習し得る。周波数帯情報は、専用周波数範囲の帯域幅および中心周波数を含む。共通周波数範囲のシステム・ブロードキャスト・メッセージは、共通周波数範囲と無線インターフェース技術との対応関係および専用周波数範囲と無線インターフェース技術との対応関係を含み、共通周波数範囲のランダム・アクセス・チャネルおよび専用周波数範囲のランダム・アクセス・チャネルを含む。共通周波数範囲のシステム情報は、専用周波数範囲によってサポートされる無線インターフェース技術の関連特性情報をさらに含んでもよい。代替的には、共通周波数範囲のシステム・ブロードキャスト・メッセージは、共通周波数範囲に関連するセル情報しか含まなくてもよく、例えば、
共通周波数範囲の周波数帯情報、共通周波数範囲と無線インターフェース技術との対応関係、および共通周波数範囲のランダム・アクセス・チャネルしか含まなくてもよい。共通周波数範囲のシステムブロードキャスト情報が、専用周波数範囲の周波数帯情報または専用周波数範囲によってサポートされる無線インターフェース技術の関連特性情報を含まない場合、UEが共通周波数範囲を使用してネットワークに成功裏にアクセスした後、基地局は、RRCシグナリングを使用して、UEのために専用周波数範囲の周波数帯情報を構成してもよい。
【０１７１】
ユーザは、以下の2つの方法のいずれかで、すなわち、
基地局によって送信された、共通周波数範囲のシステム・ブロードキャスト・メッセージまたはRRC制御シグナリングをユーザによって読み取る方法であって、共通周波数範囲のシステム・ブロードキャスト・メッセージまたはRRC制御シグナリングが、共通周波数範囲の周波数帯情報および専用周波数範囲の周波数帯情報を含む、方法、または
基地局によって送信された、専用周波数範囲のシステム・ブロードキャスト・メッセージまたはRRC制御シグナリングをユーザによって読み取る方法であって、専用周波数範囲のシステム・ブロードキャスト・メッセージもしくはRRC制御シグナリングが、専用周波数範囲の周波数帯情報を含む、方法で、
基地局によって送信された、周波数範囲の周波数帯情報を受信してもよい。
【０１７２】
ユーザは、共通周波数範囲のページングチャネルを使用してシステム・ページング・メッセージをさらに受信してもよい。
【０１７３】
セルのシステムブロードキャスト情報を読み取った後、ユーザは、共通周波数範囲のランダム・アクセス・チャネルを使用してワイヤレスネットワークにアクセスしてもよいし、専用周波数範囲のランダム・アクセス・チャネルを使用してワイヤレスネットワークにアクセスしてもよい。ユーザがネットワークにアクセスすると、基地局は、セルの共通周波数範囲にユーザのシグナリングベアラを確立し、共通周波数範囲を使用して基地局とユーザとの間でRRCシグナリングメッセージを伝送する。ユーザのシグナリングベアラが確立されていたら、基地局は、UEのためにシグナリングベアラを確立する必要はない。
【０１７４】
専用周波数範囲は、各無線インターフェース技術によって個別に使用される周波数範囲であり、サービス伝送に使用される無線リソースを持ち、特定のサービスを伝送する役割を果たす。ユーザが共通周波数範囲で初期アクセスを完了した後、ネットワークまたはユーザがサービスを開始すると、基地局は、専用周波数範囲に、サービス伝送を行うデータ無線ベアラDRBを確立する。
【０１７５】
共通周波数範囲は、共通チャネルおよびSRBを特別に搬送してもよく、また、専用周波数範囲が伝送するような特定のサービスを伝送してもよいことに留意されたい。このような共通周波数範囲は、共通チャネル、SRB、およびDRBのすべてを持つ。
【０１７６】
システム・ブロードキャスト・メッセージを読み取る前に、UEは、共通周波数範囲の同期チャネルを使用してシステム同期を完了し、システム同期を維持してもよい。代替的には、基地局が専用周波数範囲で同期信号および基準信号を送信する場合、UEは、共通周波数範囲の同期チャネルを使用して初期システム同期を完了し、次に、専用周波数範囲の同期チャネルまたは基準信号を使用してシステム同期を維持する。しかしながら、共通周波数範囲がない場合、専用周波数範囲のシステム・ブロードキャスト・メッセージを読み取る前に、UEは、専用周波数範囲の同期チャネルを使用してシステム同期を完了し、システム同期を維持する。
【０１７７】
さらに、システムが、共通周波数範囲を有さない場合、専用周波数範囲は、共通チャネルおよびSRBをさらに持つ。共通チャネルは、同期チャネル、セル固有基準信号、ブロードキャストチャネル、ページングチャネル、またはランダム・アクセス・チャネルを含む。ユーザは、システム同期を実行し、システム同期を維持するために専用周波数範囲の同期チャネルを使用してもよい。ユーザは、専用周波数範囲のシステム情報を使用してセルの共通情報を取得する。しかしながら、専用周波数範囲は、専用周波数範囲の周波数帯情報、専用周波数範囲と無線インターフェース技術との対応関係、または専用周波数範囲のランダム・アクセス・チャネルなどの、専用周波数範囲に関連する、セルの共通情報しかブロードキャストし得ない。ユーザは、基地局によって送信された、専用周波数範囲のページングメッセージを聞き、専用周波数範囲のランダム・アクセス・チャネルで初期ランダムアクセスを完了する。ユーザが初期ネットワークアクセスを実行するとき、ユーザは、開始されるサービスの種類に従って、使用する専用周波数範囲を選択し、その専用周波数範囲で初期ネットワークアクセスを完了してもよい。さらに、ユーザがネットワークにアクセスするとき、基地局は、専用周波数範囲にSRBをさらに確立してもよい。
【０１７８】
基地局は、システム・ブロードキャスト・メッセージを使用して、セルのランダム・アクセス・チャネルRACHをユーザに送信する。基地局は、共通周波数範囲のシステム情報を使用してRACH情報をブロードキャストしてもよい。ランダム・アクセス・リソースは、共通周波数範囲に配置されてもよいし、専用周波数範囲に配置されてもよい。代替的には、基地局は、専用周波数範囲のシステム情報を使用してRACH情報をブロードキャストしてもよい。ランダム・アクセス・リソースは、専用周波数範囲に配置される。すなわち、専用周波数範囲のシステム情報からUEによって読み取られるRACHリソースは、専用周波数範囲に配置される。
【０１７９】
502．UEが、基地局によって送信された、セルのランダム・アクセス・リソースに従ってワイヤレスネットワークにアクセスするか、またはアップリンク同期を実行するステップ。
【０１８０】
UEは、基地局のシステムブロードキャスト内のRACHリソース情報に従ってランダム・アクセス・チャネルを選択する。
【０１８１】
UEがネットワークに最初にアクセスする場合、UEは、選択したランダム・アクセス・チャネルを使用してネットワークアクセスを実行する。UEがネットワークにアクセスするのが初めてでない場合、UEは、選択したランダム・アクセス・チャネルを使用してアップリンク同期を実行してもよい。
【０１８２】
503．UEが、基地局によって送信された指示情報を受信するステップであって、指示情報が、UEのDRBがマッピングされる必要がある周波数範囲を示すために使用される、ステップ。
【０１８３】
UEがネットワークにアクセスした後、サービスが開始されると、基地局は、UEのサービスベアラDRBを、基地局によって指定された周波数範囲にマッピングし、指定の周波数範囲によってサポートされる無線インターフェース技術を使用してUEにサービスを伝送する。
【０１８４】
UEがネットワークにアクセスした後、サービス伝送が開始されてもよい。サービス伝送は、ネットワークによって開始されてもよいし、UEによって開始されてもよい。サービスを伝送するために使用されるDRBと無線インターフェース技術との間のマッピング関係は、UEにサービスを伝送するために基地局によって、決定される必要があり、使用される。DRBと無線インターフェース技術との間のマッピング関係は、基地局によって確立される。基地局は、マッピング関係をUEに送信する。
【０１８５】
基地局は、UEによって開始されたサービス要求に従って、要求を開始したサービスの種類を取得し、サービスの種類に従ってサービスと周波数範囲との間のマッピング関係を確立する。基地局によって、各周波数範囲と無線インターフェース技術との間のマッピング関係が決定されるため、サービスと無線インターフェース技術との対応関係が決定されてもよく、サービスを搬送するDRBと無線インターフェース技術との間のマッピング関係がさらに決定されてもよい。DRBは、専用周波数範囲にマッピングされてもよいし、共通周波数範囲にマッピングされてもよい。基地局は、UEがサービス要求を開始したときに、サービスと無線インターフェース技術との対応関係を決定してもよいし、UEがサービス要求を開始する前に、サービスと無線インターフェース技術との対応関係を決定していてもよい。
【０１８６】
基地局は、RRCシグナリングなどの指示情報を使用して、DRBがマッピングされる必要がある周波数範囲をUEに通知し、この場合、DRBは、サービスを搬送するために使用される。次に、UEは、事前に学習された周波数範囲によってサポートされる無線インターフェース技術に従って、DRBによって使用される無線インターフェース技術を学習する。
【０１８７】
UEがネットワークに最初にアクセスする場合、基地局は、UEのためにDRBを確立する前にUEのためにSRBを確立し、UEのSRBと周波数範囲との間のマッピング関係を確立する必要があることに留意されたい。前述のステップでは、基地局によって、各周波数範囲と無線インターフェース技術との間のマッピング関係が決定されるため、UEのSRBと無線インターフェース技術との対応関係がさらに決定されてもよい。
【０１８８】
UEは、基地局の指示に従って、UEのシグナリング無線ベアラSRBを指定の周波数範囲にマッピングし、周波数範囲によってサポートされる無線インターフェース技術を使用して基地局に無線リソース制御RRCシグナリングを伝送する。RRCシグナリングは、UEのサービスベアラを確立するために使用される。
【０１８９】
UEによって読み取られるシステム・ブロードキャスト・メッセージが、共通周波数範囲のシステムブロードキャスト情報である場合、UEは、共通周波数範囲を使用してワイヤレスネットワークにアクセスし、基地局は、UEのSRBを共通周波数範囲または専用周波数範囲にマッピングしてもよい。セルの周波数範囲が、専用周波数範囲しか含まず、共通周波数範囲を除外する場合、UEによって読み取られるシステムブロードキャスト情報は、専用周波数範囲のシステムブロードキャスト情報である。専用周波数範囲は、共通チャネルおよびシグナリング・ベアラ・リソースを含む。UEは、専用周波数範囲を使用してワイヤレスネットワークにアクセスし、基地局は、UEのSRBを対応する専用周波数範囲にマッピングする。前述のステップで説明したように、この場合、UEは、開始されるサービスの種類に従って、対応する専用周波数範囲を選択し、ネットワークにアクセスすることが理解され得る。したがって、基地局は、UEのSRBを、UEによって選択された専用周波数範囲にマッピングする。共通チャネルは、同期チャネル、セル固有基準信号、ブロードキャストチャネル、ページングチャネル、またはランダム・アクセス・チャネルを含む。
【０１９０】
基地局は、RRCシグナリングメッセージを使用して、UEのSRBがマッピングされる必要がある周波数範囲をUEに通知するか、またはSRBがマッピングされる必要がある周波数範囲およびUEのDRBの少なくとも1つがマッピングされる必要がある周波数範囲をUEに通知する。RRCシグナリングを受信した後、UEは、UEのシグナリング無線ベアラSRBを指定の周波数範囲にマッピングし、周波数範囲によってサポートされる無線インターフェース技術を使用して基地局に無線リソース制御RRCシグナリングを伝送する。
【０１９１】
UEのSRBを周波数範囲にマッピングすることは、SRBによって周波数範囲の物理層リソースを使用すること、または、SRBによって周波数範囲の物理層リソースおよび周波数範囲に対応する媒体アクセス制御MAC層エンティティを使用することを含む。
【０１９２】
504．UEが、UEのDRBを、DRBがマッピングされる必要がある周波数範囲にマッピングするステップ。
【０１９３】
UEによってDRBを指定の周波数範囲にマッピングすることは、DRBによって周波数範囲の物理層リソースを使用すること、または、DRBによって周波数範囲の物理層リソースおよび周波数範囲に対応する媒体アクセス制御MAC層エンティティを使用することを含む。
【０１９４】
505．UEが、DRBがマッピングされた周波数範囲によってサポートされる無線インターフェース技術を使用して、サービスベアラDRBで搬送されるサービスを基地局に伝送するステップ。
【０１９５】
UEは、ステップ503で決定された、各DRBがマッピングされた周波数範囲と、周波数範囲によってサポートされる無線インターフェース技術とを使用して、DRBで搬送されるサービスを基地局に伝送する。
【０１９６】
本発明の実施形態6の、無線インターフェース技術を使用するための方法によれば、各無線インターフェース技術によって使用される周波数範囲は、セルの全周波数範囲内でプランニングすることができ、共通チャネルによって使用されるリソース、シグナリング無線ベアラ、およびサービスベアラは、周波数領域でプランニングすることができ、これにより、無線リソース構成の柔軟性が改善され、その結果、無線リソース利用率が改善されることが学習され得る。
【０１９７】
実施形態7
実施形態7は、無線インターフェース技術を使用するための、本発明で提供される方法を実施する際に基地局側と協働するように端末側で実施される、無線インターフェース技術を使用するためのアクセス方法の特定の実施態様を提供する。
【０１９８】
図6−aは、端末が本発明の実施形態7に従ってワイヤレスネットワークにアクセスすることを示す概略図である。共通チャネルおよびSRBは、共通周波数範囲にマッピングされ、UEは、共通周波数範囲を使用してワイヤレスネットワークにアクセスし、DRBは、専用周波数範囲にマッピングされ、UEは、専用周波数範囲を使用してサービスを伝送する。サービスAは、専用周波数範囲1を使用して伝送され、サービスBは、専用周波数範囲2を使用して伝送される。
【０１９９】
システムのためにネットワークプランニングを実行するとき、セルの全周波数帯は、N個の周波数範囲に分割され、周波数範囲ごとに異なる無線インターフェース技術が使用されることが指定される。本実施形態では、セルの全周波数範囲が、2つの周波数範囲に分割され、2つの異なる無線インターフェース技術が使用される。一方の無線インターフェース技術は、既存のLTE技術であり、共通周波数範囲に対応し、共通チャネルおよびモバイル・ブロードバンド・ユニキャスト・サービス・ベアラを伝送するために使用される。もう一方の無線インターフェース技術は、既存のLTE技術で使用されるフレーム構造とは異なるフレーム構造を使用する。任意選択で、もう一方の無線インターフェース技術は、SCMAなどの異なる多重アクセス技術をさらに使用してもよく、専用周波数範囲に対応し、超低遅延M2Mサービスベアラを伝送するために使用される。実施形態7では、共通周波数範囲によってサポートされる無線インターフェース技術は、LTE無線インターフェース技術である。LTE無線インターフェース技術は、モバイル・ブロードバンド・ユニキャスト・サービスのDRBを搬送し、モバイル・ブロードバンド・ユニキャスト・サービスは、LTE技術によって使用される無線リソース、MACエンティティ、および物理層（PHY）エンティティを使用する。これに対応して、専用周波数範囲は、LTE技術で使用されるフレーム構造とは異なるフレーム構造を使用する無線インターフェース技術を使用する。無線インターフェース技術は、超低遅延M2MサービスのDRBを搬送し、超低遅延M2MサービスのDRBは、LTE技術で使用されるフレーム構造とは異なるフレーム構造を使用する無線インターフェース技術によって使用される無線リソース、MACエンティティ、および物理層（PHY）エンティティを使用する。
【０２００】
実施形態7では、すべてのUEが、共通周波数範囲の同期チャネル（SCH、synchronization channel）およびブロードキャストチャネルBCHなどの共通チャネルを検出し、システムメッセージによって示されるランダム・アクセス・リソースに従ってシステムにアクセスする。ランダム・アクセス・リソースは、共通周波数範囲または専用周波数範囲に配置されるか、または共通周波数範囲および専用周波数範囲の両方に配置される。UEは、異なるランダム・アクセス・リソースを選択し、ワイヤレスネットワークにアクセスしてもよいし、基地局によって示されるランダム・アクセス・リソースに従ってワイヤレスネットワークにアクセスしてもよい。
【０２０１】
図6−bに示すように、本実施形態の実施方法は、以下のステップを含み得る。
【０２０２】
601．ユーザ機器UEが、システム同期を実行し、システム同期を維持するために共通周波数範囲の同期チャネルを検出するステップ。
【０２０３】
UEは、共通周波数範囲の記憶された周波数チャネルに従って共通周波数範囲の周波数チャネルで同期チャネルを検出し、既存のLTE技術の同期チャネル検出方法で同期チャネル情報を取得し、基地局とのダウンリンク同期を実行する。
【０２０４】
細かい同期または同期チャネルに使用される基準信号が、専用周波数範囲に対応する無線インターフェース技術にも供給される場合、UEは、共通周波数範囲から読み取られたシステム・ブロードキャスト・メッセージから専用周波数範囲の周波数帯情報を取得し、専用周波数範囲に使用される無線インターフェース技術の同期チャネル検出方法を使用して、専用周波数範囲に使用される無線インターフェース技術の同期チャネル情報を取得してもよい。したがって、代替的には、UEは、共通周波数範囲の同期チャネルを使用して最初に成功裏に同期を実行し、システム・ブロードキャスト・メッセージを読み取り、次に、専用周波数範囲に対応する無線インターフェース技術によって使用される同期チャネルまたは基準信号を使用してシステム同期を維持してもよい。
【０２０５】
602．UEが、基地局によって送信された、共通周波数範囲のシステムメッセージを使用して、セルの2つの周波数範囲の周波数帯情報、周波数範囲と無線インターフェース技術との対応関係、無線インターフェース技術の特性情報、およびセルのランダム・アクセス・リソース情報を取得するステップであって、ランダム・アクセス・リソース情報が、UEにセルへのアクセスを命令するために、またはUEにセルとのアップリンク同期の実行を命令するために使用される、ステップ。
【０２０６】
基地局は、セルの全周波数帯を2つの周波数範囲に分割し、周波数範囲ごとに異なる無線インターフェース技術が使用されることを指定する。一方の無線インターフェース技術は、既存のLTE技術であり、共通周波数範囲に対応し、ユーザプレーンで共通チャネルおよびモバイル・ブロードバンド・ユニキャスト・サービスを伝送するために使用される。もう一方の無線インターフェース技術は、既存のLTE技術とは異なるインターフェース技術を使用し、専用周波数範囲に対応し、超低遅延M2Mサービスベアラを伝送するために使用される。基地局は、ネットワークプランニングの結果に従って、周波数範囲のそれぞれと無線インターフェース技術との対応関係を確立する。本実施形態では、基地局は、共通周波数範囲のシステム・ブロードキャスト・メッセージを使用して、分割によって得られた2つの周波数帯の周波数帯情報をUEに送信し、共通周波数範囲と既存のLTE技術との対応関係および専用周波数範囲と、既存のLTE技術とは異なる無線インターフェース技術との対応関係をUEに送信する。
【０２０７】
実施形態7は、共通周波数範囲でブロードキャストされるシステム・メッセージ・コンテンツの一例を提供する。基地局は、共通周波数範囲のブロードキャストメッセージを使用して、各周波数範囲と無線インターフェース技術との対応関係および専用周波数範囲によってサポートされる無線インターフェース技術の特性情報をUEに通知する。無線インターフェース技術の特性情報は、多重アクセスモード、フレーム構造、CP長、および物理チャネルなどの特性の組み合わせを含む、無線インターフェース技術の種類と、アップリンク−ダウンリンクサブフレーム構成と、無線インターフェースに固有の物理チャネルリソース構成情報とを含む。共通周波数範囲のシステム情報は、
共通周波数範囲のSFN、専用周波数範囲に使用されるSFNと同じであるか、または共通周波数範囲のSFNと整数倍の関係を有するSFN、および共通周波数範囲の帯域幅を含む、共通周波数範囲のマスタ情報ブロック（MIB、Master information block）と、
共通周波数範囲によってサポートされる無線インターフェース技術の識別子と、ダウンリンク帯域幅、開始サブ帯域オフセット周波数、または専用周波数範囲の中心周波数と、専用周波数範囲によってサポートされる無線インターフェース技術の識別子と、多重アクセスモード、フレーム構造、CP長、および物理チャネルなどの特性の組み合わせを含む、無線インターフェース技術の種類とを含み、TDDシステムでは、専用周波数範囲のアップリンク−ダウンリンクサブフレーム構成をさらに含む、共通周波数範囲のシステム情報ブロック1（SIB1、system information block 1）の新規追加情報要素と、
共通周波数範囲によってサポートされる無線インターフェース技術のためのPRACHリソース構成、周波数分割多重化（FDD、frequency division multiplexing）システムでは、アップリンク帯域幅（なお、FDDシステムでは、各無線インターフェース技術によって使用される、システム情報ブロック2に含まれるアップリンク帯域幅は、ダウンリンク帯域幅と異なってもよい）、およびSCMA関連の構成情報などの無線インターフェースに固有の物理層リソース構成情報を含むが、これらに限定されない、共通周波数範囲のシステム情報ブロック2（SIB2、system information block 2）と
を含む。
【０２０８】
基地局が各周波数範囲と無線インターフェース技術との対応関係または無線インターフェース技術の特性情報をUEに通知した後、UEは、開始されるサービスの種類に従って対応する周波数範囲を選択し、ワイヤレス・ネットワーク・アクセス・プロセスを完了してもよい。
【０２０９】
基地局によって送信された、共通周波数範囲のシステム・ブロードキャスト・メッセージを使用して、各周波数範囲と無線インターフェース技術との対応関係および専用周波数範囲によってサポートされる無線インターフェース技術の特性情報を取得した後、UEは、開始されるサービスの種類に従って対応する周波数範囲を選択し、ワイヤレス・ネットワーク・アクセス・プロセスを完了してもよい。本実施形態では、UEは、ワイヤレス・ネットワーク・アクセス・プロセスを実施するために共通周波数範囲を常に選択する。
【０２１０】
システム情報が変化すると、基地局は、共通周波数範囲でページングメッセージを送信することによってシステム情報の変化をUEに通知する。UEは、システムメッセージの周期的な構成に従って共通周波数範囲に周期的に合わせられ、システム情報を読み取る。代替的には、UEは、ページングメッセージを読み取るために、ページング中にのみ共通周波数範囲に合わせられ、システム情報の変化の通知を受信した後、システム情報が有効な期間に、更新されたシステムメッセージを読み取る。
【０２１１】
実施形態7では、基地局は、共通周波数範囲のシステム情報を使用してRACH情報をブロードキャストする。ランダム・アクセス・リソースは、共通周波数範囲に配置されてもよいし、専用周波数範囲に配置されてもよい。
【０２１２】
各周波数範囲のRACHリソースは、各周波数範囲によってサポートされる無線インターフェース技術の特性に従って構成される。具体的には、RACHチャネルフォーマットおよびランダム・アクセス・プリアンブル（preamble）などは、各周波数範囲によってサポートされる無線インターフェース技術の特性に従って構成される。例えば、本実施形態では、専用周波数範囲のRACHリソースは、超低遅延M2M用の無線インターフェース技術によって使用されるフレーム構造に従って構成される。
【０２１３】
603．UEが、基地局によって送信された、セルのランダム・アクセス・リソースに従ってワイヤレスネットワークにアクセスするか、またはアップリンク同期を実行するステップ。
【０２１４】
UEは、セルのRACHリソース構成情報に従ってランダム・アクセス・チャネルを選択する。セルのRACHリソース構成情報は、UEによって読み取られる、共通周波数範囲のシステムメッセージから取得される。
【０２１５】
UEは、共通周波数範囲のシステム情報からRACHリソース構成情報を取得する。RACHリソース構成情報は、RACHチャネル時間周波数リソースおよびRACH共通リソース構成情報を含む。RACHリソース構成は、共通周波数範囲および／または専用周波数範囲に配置されてもよい。UEは、UEによって選択されたランダム・アクセス・リソースに従ってランダム・アクセス・プロセスを実施する。
【０２１６】
上で説明したように、システムのRACHリソースは、共通周波数範囲に配置されてもよいし、専用周波数範囲に配置されてもよい。したがって、UEは、共通周波数範囲のRACHチャネルを選択して初期ランダム・アクセス・プロセスを実施してもよいし、専用周波数範囲のRACHチャネルを使用して初期ランダム・アクセス・プロセスを実施してもよい。UEがネットワークに最初にアクセスする場合、UEは、選択したランダム・アクセス・チャネルを使用してネットワークアクセスを実行する。UEがネットワークにアクセスするのが初めてでない場合、UEは、選択したランダム・アクセス・チャネルを使用してアップリンク同期を実行してもよい。
【０２１７】
604．UEが、基地局によって送信された指示情報を受信するステップであって、指示情報が、UEのデータ無線ベアラDRBがマッピングされる必要がある周波数範囲を示すために使用される、ステップ。
【０２１８】
本実施形態では、実施形態4および5で説明したように、基地局は、RRC接続再構成（RRCConnectionReconfiguration）メッセージをUEに送信し、DRBがマッピングされる必要がある周波数範囲を構成してもよい。UEは、超低遅延M2MサービスのDRBを超低遅延M2Mに対応する周波数範囲にマッピングし、モバイル・ブロードバンド・ユニキャスト・サービスのDRBをLTE技術に対応する周波数範囲にマッピングする。
【０２１９】
UEがネットワークに最初にアクセスする場合、基地局は、UEのためにDRBを確立する前にUEのためにSRBを最初に確立する。UEは、基地局の指示に従って、UEのシグナリング無線ベアラSRBを、基地局によって指定された周波数範囲にマッピングし、周波数範囲によってサポートされる無線インターフェース技術を使用して無線リソース制御RRCシグナリングを基地局に伝送する。
【０２２０】
605．UEが、UEのDRBを、DRBがマッピングされる必要がある周波数範囲にマッピングするステップ。
【０２２１】
606．UEが、DRBがマッピングされた周波数範囲によってサポートされる無線インターフェース技術を使用して、サービスベアラDRBで搬送されるサービスを基地局に伝送するステップ。
【０２２２】
UEは、ステップ604で決定された、各DRBがマッピングされた周波数範囲と、周波数範囲によってサポートされる無線インターフェース技術とを使用して、DRBで搬送されるサービスを基地局に伝送する。
【０２２３】
実施形態8
実施形態8は、無線インターフェース技術を使用するための、本発明で提供される方法を実施する際に基地局側と協働するように端末側で実施される、無線インターフェース技術を使用するためのアクセス方法の別の特定の実施態様を提供する。
【０２２４】
図7−aは、端末がワイヤレスネットワークにアクセスすることを示す別の概略図である。各無線インターフェース技術に対応する共通チャネル、SRB、およびDRBは、各無線インターフェース技術に対応する専用周波数範囲にマッピングされる。サービスを開始するとき、UEは、サービスに対応する専用周波数範囲を使用してワイヤレスネットワークにアクセスする。サービスAを開始するとき、UEは、専用周波数範囲1を使用してワイヤレスネットワークにアクセスする。サービスBを開始するとき、UEは、専用周波数範囲2を使用してワイヤレスネットワークにアクセスする。
【０２２５】
システムのためにネットワークプランニングを実行するとき、セルの全周波数帯は、複数の周波数範囲に分割され、周波数範囲ごとに異なる無線インターフェース技術が使用されることが指定される。任意選択で、セルの全周波数範囲は、2つの専用周波数範囲に分割され、2つの異なる無線インターフェース技術が使用される。
【０２２６】
実施形態8では、LTE無線インターフェース技術が、モバイル・ブロードバンド・ユニキャスト・サービスの伝送に使用されるSRBおよびDRBを搬送し、LTE技術によって使用される無線リソース、MACエンティティ、および物理層（PHY）エンティティを使用する。LTE技術で使用されるフレーム構造とは異なるフレーム構造を使用する無線インターフェース技術が、超低遅延M2Mサービスに使用されるSRBおよびDRBを搬送し、LTE技術とは異なるフレーム構造を使用する無線インターフェース技術によって使用される無線リソース、MACエンティティ、物理層（PHY）エンティティを使用する。
【０２２７】
実施形態8では、UEは、セルの2つの周波数範囲のうちの一方の専用周波数範囲の同期チャネル（SCH、synchronization channel）およびシステム・ブロードキャスト・メッセージなどの共通チャネルを検出し、専用周波数範囲のシステム・ブロードキャスト・メッセージによって示されるRACHリソースに従ってシステムにアクセスする。RACHリソースは、専用周波数範囲に配置される。UEは、RACHリソースの1つを選択し、ワイヤレスネットワークにアクセスしてもよいし、基地局によって示されるランダム・アクセス・リソースに従ってワイヤレスネットワークにアクセスしてもよい。
【０２２８】
図7−bに示すように、本実施形態で提供される実施方法は、以下のステップを含み得る。
【０２２９】
701．ユーザ機器UEが、システム同期を実行し、システム同期を維持するために専用周波数範囲の同期チャネルを検出するステップ。
【０２３０】
UEは、2つの専用周波数範囲の記憶された中心周波数に従って専用周波数範囲の中心周波数で同期チャネルを検出する。
【０２３１】
任意選択で、UEは、基地局とのダウンリンク同期を実行するために、既存のLTE技術の同期チャネル検出方法で同期チャネル情報を取得するか、または既存のLTE技術で使用されるフレーム構造とは異なるフレーム構造を使用する無線インターフェース技術の同期チャネル検出方法で同期チャネル情報を取得する。
【０２３２】
702．UEは、専用周波数範囲で基地局によって送信されたシステムメッセージを受信し、専用周波数範囲の周波数帯情報、専用周波数範囲と無線インターフェース技術との対応関係、無線インターフェース技術の特性情報、およびセルのランダム・アクセス・チャネルRACHリソース情報を取得する。
【０２３３】
基地局は、セルの全周波数帯を2つの周波数範囲に分割し、周波数範囲ごとに、無線インターフェース技術が使用される。1つの無線インターフェース技術は、既存のLTE技術であり、共通周波数範囲に対応し、ユーザプレーンで共通チャネル、シグナリング無線ベアラ、およびモバイル・ブロードバンド・ユニキャスト・サービスを伝送するために使用される。もう一方の無線インターフェース技術は、既存のLTE技術とは異なるインターフェース技術を使用し、専用周波数範囲に対応し、超低遅延M2Mサービスベアラを伝送するために使用される。
【０２３４】
任意選択で、基地局は、2つの周波数範囲の対応する専用周波数範囲のシステム・ブロードキャスト・メッセージを使用して、分割によって得られた2つの周波数帯の周波数帯情報をUEにそれぞれ送信し、専用周波数範囲と、既存のLTE技術で使用されるフレーム構造とは異なるフレーム構造を使用する無線インターフェース技術との対応関係をUEにそれぞれ送信する。
【０２３５】
例えば、基地局は、専用周波数範囲のブロードキャストメッセージを使用して、専用周波数範囲と無線インターフェース技術との対応関係および無線インターフェース技術の特性情報をUEに通知する。無線インターフェース技術の特性は、無線インターフェース技術の種類を含み、多重アクセスモード、フレーム構造、CP長、および物理チャネルなどの特性の組み合わせと、アップリンク−ダウンリンクサブフレーム構成と、無線インターフェースに固有の物理チャネルリソース構成情報とを含む。
【０２３６】
基地局によって送信された、専用周波数範囲のシステム・ブロードキャスト・メッセージを使用して、専用周波数範囲と無線インターフェース技術との対応関係または無線インターフェース技術の特性情報を取得した後、UEは、開始されるサービスの種類に従って対応する周波数範囲を選択し、ワイヤレス・ネットワーク・アクセス・プロセスを完了してもよい。開始されるサービスの種類と選択される周波数範囲との関係は、UEに知られている情報である。
【０２３７】
UEは、2つの周波数範囲のシステム情報からRACH構成情報を別々に取得する。セルのRACHリソース構成情報は、UEによって読み取られる、専用周波数範囲のシステムメッセージから取得される。
【０２３８】
当業者であれば、無線インターフェース技術に対応する周波数範囲におけるRACHチャネルフォーマットおよびランダム・アクセス・プリアンブル（preamble）が、異なる無線インターフェース技術の特性に従って構成されることを理解することができる。例えば、超低遅延M2Mサービスに対応する周波数範囲のRACHリソースは、超低遅延M2M用の無線インターフェース技術によって使用されるフレーム構造に従って構成される。
【０２３９】
実施形態8では、基地局は、専用周波数範囲のシステム情報を使用してRACH情報をブロードキャストする。RACHリソースは、専用周波数範囲に配置される。UEは、2つの専用周波数範囲のシステム情報を使用して、専用周波数範囲のRACHリソース構成情報を別々に取得する。RACHリソース構成情報は、RACHチャネル時間周波数リソースおよびRACH共通リソース構成情報を含む。
【０２４０】
703．UEが、基地局によって送信された、セルのランダム・アクセス・リソースに従ってワイヤレスネットワークにアクセスするか、またはアップリンク同期を実行するステップ。
【０２４１】
UEは、開始されるサービスの種類に従って、ランダムアクセスのために専用周波数範囲を選択し、専用周波数範囲のシステム・ブロードキャスト・メッセージから取得されるRACHリソース構成からRACHチャネルを選択し、ランダム・アクセス・プロセスを実施する。UEがネットワークに最初にアクセスする場合、UEは、選択したランダム・アクセス・チャネルを使用してネットワークアクセスを実行する。UEがネットワークにアクセスするのが初めてでない場合、UEは、選択したランダム・アクセス・チャネルを使用してアップリンク同期を実行してもよい。
【０２４２】
例えば、UEがモバイル・ブロードバンド・ユニキャスト・サービスを開始する場合、ランダムアクセスのためにUEによって選択される周波数範囲は、LTE技術に対応する専用周波数範囲であり、UEは、LTE無線インターフェース技術に対応する周波数範囲のRACHリソースからRACHチャネルを選択し、ランダムアクセスを実行する。UEが超低遅延M2Mサービスを開始する場合、ランダムアクセスのためにUEによって選択される周波数範囲は、既存のLTE技術とは異なるインターフェース技術に対応する専用周波数範囲であり、UEは、既存のLTE技術とは異なるインターフェース技術に対応する周波数範囲のRACHリソースからRACHチャネルを選択し、ランダムアクセスを実行する。
【０２４３】
704．UEが、基地局によって送信された指示情報を受信するステップであって、指示情報が、UEのデータ無線ベアラDRBがマッピングされる必要がある周波数範囲を示すために使用される、ステップ。
【０２４４】
基地局は、実施形態4および5で説明したように、RRC接続再構成（RRCConnectionReconfiguration）メッセージをUEに送信し、DRBがマッピングされる必要がある周波数範囲を構成してもよい。確立されたDRBは、周波数範囲によってサポートされる無線インターフェース技術のMAC層および物理層にマッピングされる。例えば、DRBが既存のLTE技術にマッピングされる場合、DRBは、LTE技術のMAC層および物理層にマッピングされる。
【０２４５】
UEがネットワークに最初にアクセスする場合、基地局は、UEのためにDRBを確立する前にUEのためにSRBを確立し、UEのSRBと周波数範囲との間のマッピング関係を確立する必要があることに留意されたい。
【０２４６】
特定の実施時に、基地局は、UEのSRBを、ランダムアクセスのためにUEによって選択された専用周波数範囲にマッピングする。例えば、UEが既存のLTE技術に対応する専用周波数範囲でランダムアクセスを実行する場合、基地局は、UEのSRBを、既存のLTE技術に対応する周波数範囲にマッピングする。UEが既存のLTE技術とは異なる無線インターフェース技術に対応する専用周波数範囲でランダムアクセスを実行する場合、基地局は、UEのSRBを、既存のLTE技術とは異なる無線インターフェース技術に対応する周波数範囲にマッピングする。
【０２４７】
UEは、基地局の指示に従って、UEのシグナリング無線ベアラSRBを指定の周波数範囲にマッピングし、周波数範囲によってサポートされる無線インターフェース技術を使用して基地局に無線リソース制御RRCシグナリングを伝送する。
【０２４８】
705．UEが、UEのDRBを、DRBがマッピングされる必要がある周波数範囲にマッピングするステップ。
【０２４９】
706．UEが、DRBがマッピングされた周波数範囲によってサポートされる無線インターフェース技術を使用して、サービスベアラDRBで搬送されるサービスを基地局に伝送するステップ。
【０２５０】
UEは、ステップ703で決定された、各DRBがマッピングされた周波数範囲と、周波数範囲によってサポートされる無線インターフェース技術とを使用して、DRBで搬送されるサービスを基地局に伝送する。
【０２５１】
実施形態9
本発明の実施形態9は、無線インターフェース技術を使用するための方法を開示する。本実施形態では、SORコントローラが、サービスに使用される周波数範囲を決定し、これにより、基地局は、サービスを搬送するDRBを、マッピングされる必要がある周波数範囲にマッピングする。
【０２５２】
SORコントローラは、サービスに使用される周波数範囲の構成を完了する。SORコントローラは、独立したネットワーク要素デバイスであるか、またはネットワーク要素デバイスに配置される論理機能ユニットである。SORコントローラは、好ましくは基地局に配置される論理機能ユニットであると仮定する。任意選択で、論理機能ユニットは、モビリティ管理エンティティ（MME、mobility management entity）に配置される。
【０２５３】
ネットワークにおけるSORコントローラの特定の位置をより良く理解するために、LTEシステムが、SORコントローラとLTEシステムの他のネットワーク要素との接続関係を説明するための例として使用される。図8−aに示すように、SORコントローラは、Sxインターフェースを使用して基地局（マクロ基地局およびスモールセルを含む）に接続され、また、SORコントローラは、Syインターフェースを使用してMMEに接続される。SxインターフェースおよびSyインターフェースは任意である。SORコントローラが基地局内部に配置される場合、Sxインターフェースが選択され、SORコントローラがMME内部に配置される場合、Syインターフェースが選択される。図では、SxインターフェースおよびSyインターフェースを除いて、他のネットワーク要素間のインターフェースは、LTEシステムの既存のインターフェースである。
【０２５４】
SORコントローラは、サービスおよび対応する周波数範囲の半静的構成を実行する。例えば、特定の期間、SORコントローラは、サービスおよび対応する周波数範囲の構成をそのままにする。SORコントローラは、サービス要求、干渉、および負荷などの変化ステータスに従ってサービスと対応する周波数範囲との間のマッピング関係を周期的に変更する。
【０２５５】
任意選択で、SORコントローラは、サービスおよび対応する周波数範囲の動的構成を実行してもよい。例えば、特定のサービスを有するUEがサービス要求を開始すると、SORコントローラは、無線インターフェース技術および周波数範囲をサービスに割り当てる。
【０２５６】
システムのサービスに使用される周波数範囲を、SORコントローラによって決定するための、本発明の、実施形態9で開示される方法は、図8−bに示されており、以下のステップを含む。
【０２５７】
801．SORコントローラは、ネットワーク要素または論理ユニットからセルリソース情報、サービス情報、およびサービス要求を取得する。
【０２５８】
セルリソース情報は、基地局がセルの周波数帯を分割した後に得られる周波数範囲、周波数範囲によってサポートされる無線インターフェース技術、および無線インターフェース技術の特性情報などを含む。異なる種類のサービスは、異なるサービス品質（QoS、Quality of service）のサービスまたは異なる技術特性のサービスを含む。異なる技術特性のサービスは、MBMSサービス、ユニキャストサービス、およびM2Mサービスなどを含む。
【０２５９】
ネットワーク要素または論理ユニットは、基地局、コアネットワーク要素、またはサービスサーバを含む。例えば、SORコントローラは、基地局からセルリソース情報を取得するか、またはサービス要求およびサービス情報をさらに取得してもよい。代替的には、SORコントローラは、MMEまたはサービスサーバからサービス情報およびサービス要求を取得する。
【０２６０】
SORコントローラが、ネットワーク要素または論理ユニットにユニキャストサービスのサービス要求およびサービス情報のダウンロードを要求してもよいし、ネットワーク要素または論理ユニットが、ユニキャストサービスのサービス要求およびサービス情報をSORコントローラに能動的に送信してもよい。
【０２６１】
802．SORコントローラは、セルリソース情報、サービス情報、およびサービス要求に従って、サービスによって要求される周波数範囲を決定する。
【０２６２】
SORコントローラは、前述のステップでシステムネットワーク要素またはシステム論理ユニットから取得したセルリソース情報、サービス情報、およびサービス要求に従って、サービスに使用される周波数範囲を決定する。
【０２６３】
803．SORコントローラは、サービスの伝送に使用される周波数範囲をネットワーク要素または論理ユニットに通知する。
【０２６４】
SORコントローラが、サービスの伝送に必要な周波数範囲をネットワーク要素または論理ユニットに通知した後、ネットワーク要素または論理ユニットは、サービスに使用される周波数範囲に従ってサービスをスケジューリングし得る。例えば、基地局は、UEのサービスのためにSORコントローラによって決定された周波数範囲に従ってUEのサービスをスケジューリングし、UEのサービスを搬送するDRBを、マッピングされる必要がある周波数範囲にマッピングする。
【０２６５】
SORコントローラが、基地局に配置された論理機能エンティティである場合、サービスの伝送に必要な周波数範囲を決定する機能は、基地局の機能の一部に属する。任意選択で、基地局は、サービスに使用される周波数範囲を決定するために、インターフェースX2を使用して別の基地局とネゴシエートする。
【０２６６】
当業者であれば、UEのサービスに使用される周波数範囲が変更され得ることを理解することができる。例えば、UEは、ソースセルからターゲットセルにハンドオーバされるが、ターゲットセルが、UEによって使用される無線インターフェース技術をサポートしていなかったり、干渉または負荷に起因して、ターゲットセルが、もともとUEによって使用されていた無線インターフェース技術を提供することができなかったりする。この場合、ターゲットセルは、UEのサービスのために新しい無線インターフェース技術および対応する周波数範囲を構成する。
【０２６７】
実施形態10
本発明の実施形態10は、無線インターフェース技術を使用するための方法を開示する。本実施形態では、SORコントローラは、無線インターフェース技術によって使用される、セルの周波数範囲を決定し、これにより、基地局は、セルの周波数範囲を分割または再分割する。
【０２６８】
SORコントローラは、干渉問題を回避するために、隣接するイントラ周波数セルセットまたはセルグループの無線インターフェース技術に同じ周波数範囲が使用されることを保証するために使用される。互いに隣接するセル間で同じ周波数範囲に異なる無線インターフェース技術が使用される場合、互いに隣接するセルの、同じ周波数範囲の信号は互いに干渉する。これは、同じ周波数範囲によってサポートされる異なる無線インターフェース技術に対応する基準信号、制御チャネル、またはサービスチャネルによって使用されるリソースが互いに直交しないためである。しかしながら、互いに隣接するセル間で同じ周波数範囲に同じ無線インターフェース技術が使用される場合、同じ無線インターフェース技術に対応する基準信号、制御チャネル、またはサービスチャネルによって使用されるリソースが互いに直交し、既存の無線インターフェース技術が、共通周波数干渉を解消することが可能であるため、互いに隣接するセル間の干渉は大幅に減少する。したがって、SORコントローラは、複数のセルの無線インターフェース技術に対応する周波数範囲の構成を調整し、互いに隣接するセル間の比較的低い共通周波数干渉を保証し得る。
【０２６９】
既存の共通周波数干渉の解消方法（例えば、LTEシステムにおけるソフト周波数再使用（SFR、soft frequency reuse）技術またはフラクショナル周波数再使用（fractional frequency reuse）ポリシー）は、互いに隣接するセル間の共通周波数干渉を回避し得る。別の例では、LTEシステムにおける調整ビーム形成技術または基準信号サイレンス方法などは、互いに隣接するセル間の共通周波数干渉を回避し得る。
【０２７０】
さらに、SORコントローラは、同じ無線インターフェース技術が使用される互いに隣接するセルのアップリンク信号とダウンリンク信号との干渉を回避するように、一貫した規則に従って、TDD無線インターフェース技術でセルグループ内のダウンリンク／アップリンクサブフレームの構成をさらに実行してもよい。
【０２７１】
SORコントローラは、独立したネットワーク要素、またはネットワーク要素の論理機能エンティティである。SORコントローラが、基地局に配置された論理機能エンティティである場合、無線インターフェース技術によって使用される周波数範囲をSORコントローラによって決定する機能は、基地局の機能の一部である。任意選択で、基地局は、無線インターフェース技術によって使用される周波数範囲を決定するために、インターフェースX2を使用して別の基地局とネゴシエートしてもよい。
【０２７２】
実施形態11
実施形態11は、本発明に従って複数の無線インターフェース技術を使用するための方法の特定の例を提供する。
【０２７３】
本実施形態では、システムのためにネットワークプランニングを実行するとき、セルの全周波数帯は、2つの周波数範囲に分割され、周波数範囲ごとに異なる無線インターフェース技術が使用されることが指定される。一方の周波数範囲に使用される無線インターフェース技術は、既存のLTE技術であり、モバイル・ブロードバンド・ユニキャスト・サービスを伝送するために使用される。インターフェース技術は、もう一方の周波数範囲に使用され、MBMSサービスの伝送に使用されるが、この場合、インターフェース技術は、モバイル・ブロードバンド・ユニキャスト・サービスのために既存のLTE技術で使用されるCP長とは異なるCP長を使用する。本実施形態では、セルの一方の周波数範囲によってサポートされる無線インターフェース技術は、LTE無線インターフェース技術である。LTE無線インターフェース技術は、モバイル・ブロードバンド・ユニキャスト・サービスのDRBを搬送し、モバイル・ブロードバンド・ユニキャスト・サービスは、LTE技術によって使用される無線リソース、MACエンティティ、および物理層（PHY）エンティティを使用する。これに対応して、もう一方の周波数範囲は、LTE技術で使用されるのとは異なるOFDMシンボルのCP長を使用する無線インターフェース技術を使用する。無線インターフェース技術は、MBMSサービスを搬送し、MBMSサービスのDRBは、LTE技術で使用されるフレーム構造とは異なるフレーム構造を使用する無線インターフェース技術によって使用される無線リソース、MACエンティティ、および物理層（PHY）エンティティを使用する。
【０２７４】
実施形態11のリソース構成方法の概略図については、図9−aを参照することができる。
【０２７５】
図9−aに示すように、セルの全周波数帯fは、2つの周波数範囲に分割され、この場合、f1は、共通周波数範囲であり、ユニキャスト・サービス・データを伝送するために使用され、f2は、専用周波数範囲であり、MBMSサービスデータを伝送するために使用される。任意選択で、f1およびf2は依然として周波数分割モードで構成され、f1は依然としてユニキャストサービスに使用され、f2は依然としてMBMSサービスの伝送に使用される。さらに、周波数範囲f1のユニキャストサービスおよびMBMSサービスは、時分割モードで構成されている。例えば、従来技術で説明されるように、一部のマルチキャストブロードキャスト単一周波数ネットワーク（MBSFN、Multimedia broadcast single-frequency network）サブフレームは、LTEシステムフレームで構成される。
【０２７６】
f1およびf2によって占有される帯域幅は、サービス要求の変化ステータスに従ってSORコントローラにより動的に調整されてもよい。
【０２７７】
実施形態11は、サービスベースの周波数分割モードでセルリソースを構成するプロセスを開示する。
【０２７８】
本発明の本実施形態をより良く理解するために、以下では、本発明の本実施形態で開示されるセルソース構成プロセスについて説明する。
【０２７９】
プロセスの主な手続きは以下の通りである。SORコントローラは、MBMSサービスによって要求される周波数範囲に関する帯域幅および情報に関してマルチセル／マルチキャスト調整エンティティ（MCE、Multi−cell／multicast Coordinating Entity）とネゴシエートし、SORコントローラは、無線リソース割り当てポリシーに従って、ユニキャストサービスおよびMBMSサービスのために構成される周波数リソースを決定し、SORコントローラは、ユニキャストサービスおよびMBMSサービスのために構成された周波数リソースの割り当て結果を基地局に通知するが、この場合、リソース割り当て結果は、ユニキャストサービスおよびMBMSサービスの帯域幅および周波数範囲である。ユニキャストサービスおよびMBMSサービスのために構成された周波数リソースの割り当て結果を受信した後、基地局は、UEのユニキャストサービスおよびMBMSサービスのためにリソースの構成を開始する。MBMSサービスの周波数範囲に関する、SORコントローラとのネゴシエーションを完了した後、MCEは、MBMSサービスによって占有される周波数リソースに従ってMBMSサービスをスケジューリングする。
【０２８０】
任意選択で、SORコントローラは、基地局内部に配置された論理ユニットエンティティである。基地局は、ユニキャストサービスおよびMBMSサービスの周波数範囲に関して、MBMS同期エリアまたはMBMSサービスエリア内の別の基地局およびMCEとネゴシエートする。ユニキャストサービスおよびMBMSサービスの帯域幅および周波数範囲に関するネゴシエーションを完了した後、基地局は、UEのユニキャストサービスおよびMBMSサービスのためにリソースの構成を開始する。MBMSサービスの周波数範囲に関するネゴシエーションを完了した後、MCEは、MBMSサービスによって占有される周波数リソースに従ってMBMSサービスをスケジューリングする。
【０２８１】
本実施形態において周波数分割モードでセルリソースを構成するプロセスをより良く理解するために、周波数分割モードでセルリソースを構成するための開示されたメッセージ手続きは、図9−bに示すように以下のステップを含み得る。
【０２８２】
901．SORコントローラが基地局からユニキャストサービスのサービス要求およびサービス情報を取得するステップ。
【０２８３】
SORコントローラは、基地局にユニキャストサービスのサービス要求およびサービス情報のダウンロードを要求してもよいし、基地局が、ユニキャストサービスのサービス要求およびサービス情報をSORコントローラに能動的に送信してもよい。
【０２８４】
902．SORコントローラが基地局からMBMSサービスのサービス要求およびサービス情報を取得するステップ。
【０２８５】
903．SORコントローラが、ユニキャストサービスおよびMBMSサービスに使用される周波数範囲を決定するためにMCEとネゴシエートするステップ。
【０２８６】
904．SORコントローラが、無線リソース割り当てポリシーを有効にして、ユニキャストサービスおよびMBMSサービスに使用される周波数範囲を決定するステップ。
【０２８７】
905．SORコントローラが、ユニキャストサービスおよびMBMSサービスに使用される周波数範囲を基地局に通知するステップ。
【０２８８】
906．SORコントローラがユニキャストサービスおよびMBMSサービスに使用される帯域幅および周波数範囲を独立して決定するときに、SORコントローラが、MBMSサービスに使用される周波数範囲をMCEに通知するステップ。
【０２８９】
907．基地局が、SORコントローラによって通知された、ユニキャストサービスおよびMBMSサービスに使用される周波数範囲に従ってユニキャストサービスおよびMBMSサービスをスケジューリングするステップ。
【０２９０】
908．MCEが、SORコントローラによって通知された、MBMSサービスによって占有される周波数範囲に従ってMBMSサービスをスケジューリングするステップ。
【０２９１】
さらに、本発明の実施形態11は、UEがワイヤレスネットワークに集中的にアクセスするときの、システムの周波数チャネルおよび共通チャネルを構成するための方法およびシステム情報構成方法をさらに開示する。
【０２９２】
本実施形態で開示される、システムの周波数チャネルおよび共通チャネルを構成するための方法は、以下の通りである。
【０２９３】
セルの中心周波数および共通チャネルを設定するための3つの方法は、以下の通りである。
【０２９４】
方法1
システムは、f1とf1の中心周波数を別々に設定する。f1の中心周波数は、f1の中心周波数に設定され、f2の中心周波数は、f2の中心周波数に設定される。
【０２９５】
システムは、共通チャネルを、対応する周波数範囲f1に設定する。共通チャネルは、同期チャネル（PSS／SSS）、セル固有基準信号（CRS、cell-specific reference signal）、ブロードキャストチャネル（BCH、Broadcast channel）、ページングチャネル（PCH、paging channel）、およびランダム・アクセス・チャネルを含む。
【０２９６】
システムは、f2には共通チャネルを設定しない。共通チャネルは、同期チャネル／ブロードキャストチャネル（PSS／SSS／BCH）、セル固有基準信号（CRS、cell-specific reference signal）、ページングチャネル（PCH）、およびランダム・アクセス・チャネルを含む。
【０２９７】
同期プロセス、測定プロセス、システム情報読み取りプロセス、ランダム・アクセス・プロセス、およびページング（paging）プロセスなどのUEの物理層プロセスはすべて、周波数範囲f1で実施される。システムにアクセスする前、UEは、セル発見およびネットワークアクセスがf1に対応する周波数帯でのみサポートされることから、アクセスのために、f1に対応する周波数帯にのみレシーバを合わせ得る。
【０２９８】
方法1では、UEは、共通周波数範囲を使用してワイヤレスネットワークにアクセスする、すなわち、f1でワイヤレスネットワークにアクセスする。
【０２９９】
方法2
システムは、1つの中心周波数のみを設定し、この場合、中心周波数は、セルのキャリア全周波数帯fの中心周波数に設定される。
【０３００】
システムは、システムの共通チャネルをfの周波数帯域幅に設定する。共通チャネルは、同期チャネル（PSS／SSS）、セル固有基準信号（CRS、cell-specific reference signal）、ブロードキャストチャネル（BCH）、ページングチャネル（PCH）、およびランダム・アクセス・チャネルを含む。
【０３０１】
同期プロセス、測定プロセス、システム情報読み取りプロセス、ランダム・アクセス・プロセス、およびページング（paging）プロセスなどのUEの物理層プロセスはすべて、fのセル全帯域幅で実施される。システムにアクセスする前、UEは、システムが全周波数帯fでセル発見およびネットワークアクセスをサポートすることから、アクセスのために、全周波数帯fにレシーバを合わせる必要がある。
【０３０２】
方法2では、UEは、セルの全周波数帯でワイヤレスネットワークにアクセスする、すなわち、fでワイヤレスネットワークにアクセスする。
【０３０３】
方法3
システムは、f1とf2の中心周波数を別々に設定する。f1の中心周波数は、f1の中心周波数に設定され、f2の中心周波数は、f2の中心周波数に設定される。
【０３０４】
システムは、共通チャネルを、対応する周波数範囲f1に設定する。共通チャネルは、同期チャネル（PSS／SSS）、セル固有基準信号（CRS、cell-specific reference signal）、ブロードキャストチャネル（BCH）、ページングチャネル（PCH）、またはランダム・アクセス・リソースのうちの1つ以上を含む。周波数範囲f1の共通チャネルは、ユニキャストサービスのための共通チャネルである。例えば、周波数範囲f1のランダム・アクセス・リソースは、ユニキャストサービスのアクセスに使用される。別の例では、周波数範囲f1のBCHは、ユニキャストサービスに対応する無線インターフェース技術に使用される。
【０３０５】
さらに、システムは、共通チャネルをf2にも設定する。共通チャネルは、同期チャネル／ブロードキャストチャネル（PSS／SSS／BCH）、セル固有基準信号（CRS、cell-specific reference signal）、ページングチャネル（PCH）、またはランダム・アクセス・チャネルのうちの1つ以上を含む。周波数範囲f2の共通チャネルは、MBMSのための共通チャネルである。例えば、周波数範囲f2のランダム・アクセス・リソースは、MBMSサービスのアクセスに使用される。別の例では、周波数範囲f2のBCHは、MBMSサービスに対応する無線インターフェース技術に使用される。
【０３０６】
同期プロセス、測定プロセス、システム情報読み取りプロセス、ランダム・アクセス・プロセス、およびページング（paging）プロセスなどのUEの物理層プロセスは、周波数範囲f1または周波数範囲f1で実施されてもよい。システムにアクセスする前、UEは最初に、ワイヤレス・ネットワーク・アクセスのためにレシーバをf1に対応する周波数帯に合わせる必要がある。代替的には、システムにアクセスする前、UEは最初に、ワイヤレス・ネットワーク・アクセスのためにレシーバをf2に対応する周波数帯に合わせる必要がある。セル発見およびアクセスは、f1に対応する周波数帯およびf2に対応する周波数帯の両方でサポートされる。
【０３０７】
方法3では、UEは、専用周波数範囲を使用してワイヤレスネットワークにアクセスする、すなわち、f1またはf2でワイヤレスネットワークにアクセスする。
【０３０８】
本発明の実施形態11は、システム情報構成方法をさらに開示し、システム情報構成方法は、具体的には以下のように説明される。UEは、システム情報構成方法に従って共通周波数範囲を使用してワイヤレスネットワークにアクセスし得る。
【０３０９】
システム情報のマスタ情報ブロックMIBは、実際のダウンリンクセル帯域幅をブロードキャストする。ダウンリンクセル帯域幅は、f1の帯域幅またはセルの全周波数帯fの帯域幅である。具体的には、f1の帯域幅またはfの帯域幅のいずれがブロードキャストされるかは、中心周波数を構成するための方法に従って決定される。システムが、前述の方法1でシステムの周波数チャネルおよび共通チャネルを構成する場合、MIBは、f1に対応する周波数帯の帯域幅をブロードキャストする。システムが、前述の方法2でシステムの周波数チャネルおよび共通チャネルを構成する場合、MIBは、周波数帯fの帯域幅をブロードキャストする。
【０３１０】
f2に対応する周波数帯のMBMSシステムフレーム−サブフレーム構成（MBSFN−SubframeConfig）が、システム情報ブロック2（SIB2）に追加される。MBSFN−SubframeConfigは、システムの任意のフレームであってもよい。任意選択で、MBMSサービスサブフレームは、f1に対応する周波数帯にさらに構成されてもよいため、f1に対応する周波数帯のMBMSFNサブフレームもまた、SIB2に構成されてもよい。具体的には、SIB2は、f1およびf2に対応する周波数帯のMBMSFNサブフレーム構成を示す必要がある。任意選択で、f2に対応する周波数帯のMBMSFNサブフレームは、SIB2に構成されず、UEは、f2に対応する周波数帯のすべてのサブフレームをMBMSFNサブフレームとして使用してもよい。
【０３１１】
f2に対応する周波数帯の帯域幅情報が、SIB2に追加される。任意選択で、f2に対応する周波数帯の帯域幅がシステム情報ブロックSIB2に追加されない場合、f2に対応する周波数帯の帯域幅は、SIB1に追加されてもよい。
【０３１２】
システム情報ブロック31（SIB13）内のMBSFNエリア情報リスト（mbsfn−AreaInfoList−r9）の情報要素は、以下のように変更される。
【０３１３】
mbsfn−AreaInfoList−r9の情報要素mcch−Config−r9は、f2に対応する周波数帯に使用される無線インターフェース技術のMBMS制御チャネル（MCCH）が、f2に対応する周波数帯に使用されるインターフェース技術の任意のサブフレームを使用してもよいことを示す。
【０３１４】
任意選択で、システムが、f1に対応する周波数帯のMBSFNサブフレームも構成する場合、SIB13は、f1に対応する周波数帯に使用される無線インターフェース技術のMCCHも構成する必要があり得る。
【０３１５】
同じMBSFNエリアでは、すべてのセルのf1およびf2に対応する周波数帯のMBMSサービスリソースを割り当てるための方法は同じである。具体的には、f2に対応する周波数帯に使用される無線インターフェース技術のMBMSFNサブフレームは、f1に対応する周波数帯に使用される無線インターフェース技術のMBMSFNサブフレームと同じであり、f2に対応する周波数帯に使用される無線インターフェース技術のMCCH構成は、f1に対応する周波数帯に使用されるインターフェース技術のMCCH構成と同じである。
【０３１６】
当業者であれば、f2に対応する周波数帯に共通チャネルが存在しないことから、セル発見およびネットワークアクセスはf2でサポートされないことを理解することができる。UEは、f1に対応する周波数帯のシステム情報のみを使用してワイヤレスネットワークにアクセスするか、または全周波数帯fのシステム情報のみを使用してワイヤレスネットワークにアクセスすることができる。したがって、PDCCHによって要求される2つのOFDMは、f2に対応する周波数帯に使用される無線インターフェース技術のために確保される必要はなく、f2に対応する周波数帯の各サブフレームのすべてのシンボルは、eMBMSに使用される。任意選択で、システム下位互換性を考慮して、PDCCHによって要求される2つのOFDMは、f2に対応する周波数帯に使用される無線インターフェース技術のために確保されてもよい。
【０３１７】
当業者は、f2の共通チャネルが存在しないため、UEのサービングセル／隣接セルの無線リソース管理（RRM、radio resource management）は、f1に対応する周波数帯のCRS品質の測定にのみ基づいて測定され得るか、またはセルの全周波数帯fのCRS品質の測定にのみ基づいて測定され得ることを知り得る。UEは、f1に対応する周波数帯のチャネルステータス情報基準信号CSI−RSまたはセルの全周波数帯fのチャネルステータス情報基準信号CSI−RSにのみ基づいて、サービングセルのチャネルステータス情報（CSI、channel status information）を測定し得る。
【０３１８】
システムが、f1に対応する周波数帯のMBMSFNサブフレームを構成する場合、MBMSカウント応答（counting response）メッセージは、f1に対応する周波数帯のMBMSアップリンクチャネルを使用して送信され得ることが理解され得る。そうでなければ、MBMSカウント応答メッセージは、f2に対応する周波数帯のMBMSアップリンクチャネルを使用して送信される。
【０３１９】
基地局は、システムがブロードキャストメッセージを送信した後に、UEのDRBを指定の周波数範囲にマッピングする実施プロセスと、DRBがマッピングされる周波数範囲によってサポートされる無線インターフェース技術を使用して基地局側によって、サービスベアラDRBで搬送されるサービスを基地局に伝送する動作プロセスとを含むステップを完了する。実施プロセスおよび動作プロセスは、実施形態4と一致する。ここでは詳細について再度説明しない。
【０３２０】
UEの後続の動作ステップは、実施形態7と一致する。ここでは詳細は詳述しない。動作ステップは、UEが、基地局によって送信された、N個の周波数範囲の周波数帯情報、N個の周波数範囲と無線インターフェース技術との対応関係、または無線インターフェース技術の特性情報、およびセルのランダム・アクセス・リソース情報を受信するステップと、UEが、基地局によって送信された、セルのランダム・アクセス・リソースを使用してワイヤレスネットワークにアクセスするか、またはアップリンク同期を実行するステップと、UEが、基地局によって送信された指示情報を受信し、UEの各サービスベアラDRBを、基地局によって指定された周波数範囲にマッピングするステップと、UEが、DRBがマッピングされた周波数範囲によってサポートされる無線インターフェース技術を使用して、サービスベアラDRBで搬送されるサービスを基地局に伝送するステップとを含む。
【０３２１】
当業者は、前述のシステムにアクセスするUEがデュアルトランシーバUEであってもよいし、シングルトランシーバUEであってもよいことを知り得る。デュアルトランシーバUEおよびシングルトランシーバUEの両方は、f1に対応する周波数帯でユニキャストサービスを実行し、同時に、f2に対応する周波数帯でMBMSサービスを実行し得る。デュアルトランシーバUEおよびシングルトランシーバUEは、f1に対応する周波数帯でページングメッセージを受信することに加えて、f2に対応する周波数帯でMBMSサービスをさらに実行し得る。
【０３２２】
実施形態12
本発明の実施形態12は、基地局デバイスを提供する。
【０３２３】
図10を参照すると、基地局デバイスa00は、
セルの周波数帯をN個の周波数範囲に分割するように構成された処理ユニットa10であって、N個の周波数範囲のそれぞれが1つの無線インターフェース技術をサポートし、セルが少なくとも2つの無線インターフェース技術をサポートする、処理ユニットa10と、
N個の周波数範囲の周波数帯情報、N個の周波数範囲と無線インターフェース技術との対応関係、または無線インターフェース技術の特性情報、およびセルのランダム・アクセス・リソース情報をUEに送信するように構成されたトランシーバユニットa20であって、ランダム・アクセス・リソース情報が、UEにセルへのアクセスを命令するために、またはUEにセルとのアップリンク同期の実行を命令するために使用される、トランシーバユニットa20と
を含むことができ、この場合、
処理ユニットa10は、UEのサービス無線ベアラDRBをN個の周波数範囲の少なくとも1つの周波数範囲にマッピングするようにさらに構成され、この場合、DRBのそれぞれは、少なくとも1つの周波数範囲のうちの1つに対応し、少なくとも1つの周波数範囲のそれぞれは、DRBの少なくとも1つに対応し、
トランシーバユニットa20は、DRBがマッピングされた周波数範囲によってサポートされる無線インターフェース技術を使用して、DRBで搬送されるサービスをUEに伝送するようにさらに構成され、この場合、
Nは整数であり、N≧2である。
【０３２４】
周波数範囲は、共通周波数範囲および専用周波数範囲を含む。共通周波数範囲は、N個の周波数範囲によってサポートされる無線インターフェース技術によって共有される周波数範囲であり、共通チャネルによって要求される無線リソースまたは共通チャネルおよびシグナリング無線ベアラSRBによって要求される無線リソースを含む。共通周波数範囲は、DRBによって要求される無線リソースをさらに含む。専用周波数範囲は、無線インターフェース技術によって個別に使用される周波数範囲であり、専用周波数範囲は、DRBによって要求される無線リソースを持つ。専用周波数範囲は、SRBによって要求される無線リソースをさらに含む。
【０３２５】
代替的には、周波数範囲は、専用周波数範囲のみを含んでもよい。専用周波数範囲は、無線インターフェース技術によって個別に使用される周波数範囲であり、共通チャネル、SRBによって要求される無線リソース、およびDRBによって要求される無線リソースを含む。
【０３２６】
共通チャネルは、同期チャネル、セル固有基準信号、ブロードキャストチャネル、ページングチャネル、またはランダム・アクセス・チャネルを含む。
【０３２７】
無線インターフェース技術の特性情報は、無線インターフェース技術の多重アクセスモード、無線インターフェース技術のフレーム構造、無線インターフェース技術の物理チャネル特性、無線インターフェース技術のアップリンク−ダウンリンクサブフレーム構造、または無線インターフェース技術の物理チャネルリソース構成を含む。
【０３２８】
処理ユニットa20は、UEのSRBをN個の周波数範囲の少なくとも1つの周波数範囲にマッピングするようにさらに構成され、この場合、SRBのそれぞれは、少なくとも1つの周波数範囲のうちの1つに対応し、少なくとも1つの周波数範囲のそれぞれは、SRBの少なくとも1つに対応し、
トランシーバユニットa20は、第1の指示情報をUEに送信するようにさらに構成され、この場合、第1の指示情報は、SRBがマッピングされる必要がある周波数範囲をUEに示すために使用され、
トランシーバユニットa20は、SRBがマッピングされる周波数範囲によってサポートされる無線インターフェース技術を使用して、RRCシグナリングをUEに送信するようにさらに構成され、この場合、RRCシグナリングは、UEのDRBを確立するために使用される。
【０３２９】
トランシーバユニットa20ユニットは、
共通周波数範囲を使用しての、UEへのシステム・ブロードキャスト・メッセージもしくはRRC制御シグナリングの送信であって、システム・ブロードキャスト・メッセージもしくはRRC制御シグナリングが、共通周波数範囲の周波数帯情報および専用周波数範囲の周波数帯情報を含む、送信を行うか、または
専用周波数範囲を使用しての、UEへのシステム・ブロードキャスト・メッセージもしくはRRC制御シグナリングの送信であって、システム・ブロードキャスト・メッセージもしくはRRC制御シグナリングが、専用周波数範囲の周波数帯情報を含む、送信を行う
ように特に構成される。
【０３３０】
セルリソース構成を実行した後、処理ユニットa10は、UEのDRBの周波数範囲マッピングの実行を開始する。トランシーバユニットa20は、処理ユニットa10がセルリソース構成を実行した後に、セルの周波数範囲のそれぞれの周波数帯情報、周波数領域と無線インターフェース技術との対応関係、または無線インターフェース技術の特性情報をUEに送信してもよい。UEのDRBの周波数範囲マッピングを完了した後、トランシーバユニットa20は、指示情報を使用して、UEのDRBがマッピングされる必要がある周波数範囲をUEに送信する。
【０３３１】
例えば、処理ユニットa10は、セルの全周波数範囲を2つの周波数範囲に分割し、2つの異なる無線インターフェース技術を使用する。一方の無線インターフェース技術は、既存のLTE技術であり、共通周波数範囲に対応し、共通チャネルおよびモバイル・ブロードバンド・ユニキャスト・サービス・ベアラを伝送するために使用される。もう一方の無線インターフェース技術は、既存のLTE技術で使用されるフレーム構造とは異なるフレーム構造を使用する。任意選択で、もう一方の無線インターフェース技術は、SCMAなどの異なる多重アクセス技術をさらに使用してもよく、専用周波数範囲に対応し、超低遅延M2Mサービスベアラを伝送するために使用される。
【０３３２】
トランシーバユニットa20は、共通周波数範囲のシステム・ブロードキャスト・メッセージを使用して、分割によって得られた2つの周波数帯の周波数帯情報をUEに送信し、共通周波数範囲と既存のLTE技術との対応関係および専用周波数範囲と、既存のLTE技術とは異なる無線インターフェース技術との対応関係をUEに送信する。次に、UEは、開始されるサービスの種類に従って対応する周波数範囲を選択し、ワイヤレス・ネットワーク・アクセス・プロセスを完了してもよい。
【０３３３】
UEがネットワークにアクセスした後、処理ユニットa10は、UEによって開始されるサービスの種類に従って、UEのDRBを、マッピングされる必要がある周波数範囲にマッピングしてもよい。例えば、UEは、超低遅延M2MサービスのDRBを超低遅延M2Mに対応する周波数範囲にマッピングし、モバイル・ブロードバンド・ユニキャスト・サービスのDRBをLTE技術に対応する周波数範囲にマッピングする。
【０３３４】
トランシーバユニットa20は、DRBマッピングの結果に従ってRRC接続再構成（RRCConnectionReconfiguration）メッセージをUEに送信し、UEのDRBのために処理ユニットa10によって構成された周波数範囲をUEに通知する。
【０３３５】
一部の実現可能な実施態様では、本発明の本実施形態で説明された基地局デバイスのユニットは、本発明の実施形態で提供された、複数の無線インターフェース技術を使用するための方法に対応する実施形態で説明された実施態様を実行するように構成されてもよい。特定の実施プロセスについては、前述の実施形態を参照することができる。ここでは詳細について再度説明しない。
【０３３６】
実施形態13
実施形態13は、実施形態12の基地局デバイスと協働する端末デバイスを提供する。基地局デバイスは、セルの周波数帯をN個の周波数範囲に分割する。N個の周波数範囲のそれぞれは、1つの無線インターフェース技術をサポートし、Nは、2以上の整数である。
【０３３７】
図11を参照すると、端末デバイスb00は、
基地局によって送信された、N個の周波数範囲の周波数帯情報、N個の周波数範囲と無線インターフェース技術との対応関係、または無線インターフェース技術の特性情報、およびセルのランダム・アクセス・リソース情報を受信するように構成されたトランシーバユニットb10であって、ランダム・アクセス・リソース情報が、UEにセルへのアクセスを命令するために、またはUEにセルとのアップリンク同期の実行を命令するために使用される、トランシーバユニットb10と、
基地局によって送信された、セルのランダム・アクセス・リソースに従ってワイヤレスネットワークにアクセスするか、またはアップリンク同期を実行するように構成された処理ユニットb20と
を含むことができ、この場合、
トランシーバユニットb10は、基地局によって送信された指示情報を受信するようにさらに構成され、この場合、指示情報は、UEのデータ無線ベアラDRBがマッピングされる必要がある周波数範囲を示すために使用され、
処理ユニットb20は、UEのDRBを、DRBがマッピングされる必要がある周波数範囲にマッピングするようにさらに構成され、
トランシーバユニットb10は、DRBがマッピングされた周波数範囲によってサポートされる無線インターフェース技術を使用して、DRBで搬送されるサービスを基地局に伝送するようにさらに構成され、この場合、
Nは整数であり、N≧2である。
【０３３８】
N個の周波数範囲は、共通周波数範囲および専用周波数範囲を含むか、または専用周波数範囲を含む。トランシーバユニットb10は、基地局によって送信されたシステム・ブロードキャスト・メッセージまたは無線リソース制御RRCシグナリングから、基地局によって送信された、N個の周波数範囲の周波数帯情報を受信するように構成される。
【０３３９】
トランシーバユニットb10は、
共通周波数範囲を使用して基地局によって送信されたシステム・ブロードキャスト・メッセージもしくはRRC制御シグナリングの受信であって、システム・ブロードキャスト・メッセージもしくはRRC制御シグナリングが、共通周波数範囲の周波数帯情報および専用周波数範囲の周波数帯情報を含む、受信を行うか、または、専用周波数範囲を使用して基地局によって送信されたシステム・ブロードキャスト・メッセージもしくはRRC制御シグナリングの受信であって、システム・ブロードキャスト・メッセージもしくはRRC制御シグナリングが、専用周波数範囲の周波数帯情報を含む、受信を行う
ように特に構成される。
【０３４０】
トランシーバユニットb10は、基地局によって送信されたシステム・ブロードキャスト・メッセージを使用して、N個の周波数範囲と無線インターフェース技術との対応関係または無線インターフェース技術の特性情報を受信するか、または、基地局によって送信されたRRCシグナリングを使用して、N個の周波数範囲と無線インターフェース技術との対応関係または無線インターフェース技術の特性情報を受信するか、または、基地局によって送信された媒体アクセス制御MAC制御要素CEを使用して、N個の周波数範囲と無線インターフェース技術との対応関係または無線インターフェース技術の特性情報を受信するか、または、基地局によって送信された物理ダウンリンク制御チャネルPDCCHを使用して、N個の周波数範囲と無線インターフェース技術との対応関係または無線インターフェース技術の特性情報を受信する。
【０３４１】
トランシーバユニットb10は、
基地局によって送信された第1の指示情報の受信であって、第1の指示情報が、UEのシグナリング無線ベアラSRBがマッピングされる必要がある周波数範囲を示すために使用される、受信を行い、
UEのSRBを、SRBがマッピングされる必要がある周波数範囲にマッピングし、
SRBがマッピングされる周波数範囲によってサポートされる無線インターフェース技術を使用しての、基地局へのRRCシグナリングの伝送であって、RRCシグナリングが、UEのDRBを確立するために使用される、伝送を行う
ようにさらに構成される。
【０３４２】
トランシーバユニットb10は、システム・ブロードキャスト・メッセージを受信するようにさらに構成され、
システムブロードキャスト情報が、共通周波数範囲のシステムブロードキャスト情報である場合、処理ユニットb20は、共通周波数範囲を使用してワイヤレスネットワークにアクセスするようにさら構成される。
【０３４３】
処理ユニットb20は、
基地局によって送信され、トランシーバユニットによって受信される指示情報を使用して、DRBがマッピングされる必要がある周波数範囲によってサポートされる無線インターフェース技術を学習し、DRBを、DRBがマッピングされる必要がある周波数範囲によってサポートされる無線インターフェース技術にマッピングするように特に構成される。
【０３４４】
処理ユニットは、
基地局によって送信され、トランシーバユニットb10によって受信される第1の指示情報を使用して、SRBがマッピングされる必要がある周波数範囲によってサポートされる無線インターフェース技術を学習し、SRBを、SRBがマッピングされる必要がある周波数範囲によってサポートされる無線インターフェース技術にマッピングするように特に構成される。
【０３４５】
例えば、トランシーバユニットb10は、共通周波数範囲のブロードキャストメッセージを読み取る。ブロードキャストメッセージは、セルの各周波数範囲の周波数帯情報、周波数範囲と無線インターフェース技術との対応関係、または無線インターフェース技術の特性情報、およびセルのランダム・アクセス・リソース情報を含む。UEは、セルの全周波数範囲が、2つの周波数範囲に分割され、2つの異なる無線インターフェース技術が使用されることを学習する。一方の無線インターフェース技術は、既存のLTE技術であり、共通周波数範囲に対応し、共通チャネルおよびモバイル・ブロードバンド・ユニキャスト・サービス・ベアラを伝送するために使用される。もう一方の無線インターフェース技術は、既存のLTE技術で使用されるフレーム構造とは異なるフレーム構造を使用し、専用周波数範囲に対応し、超低遅延M2Mサービスベアラを伝送するために使用される。
【０３４６】
次に、処理ユニットb20は、開始されるサービスの種類に従って対応する周波数範囲を選択し、ワイヤレス・ネットワーク・アクセス・プロセスを完了してもよい。UEがネットワークにアクセスした後、トランシーバユニットb10は、基地局によって送信されるRRC接続再構成（RRCConnectionReconfiguration）メッセージを受信してもよい。RRC接続再構成メッセージは、DRBがマッピングされる必要がある周波数範囲を含み、この場合、DRBは、UEによって開始されるサービスを搬送するために使用される。処理ユニットb20は、RRC接続再構成メッセージの指示に従って、DRBを、マッピングされる必要がある周波数範囲にマッピングする、例えば、超低遅延M2MサービスのDRBを、超低周波M2Mに対応する周波数範囲にマッピングし、モバイル・ブロードバンド・ユニキャスト・サービスのDRBをLTE技術に対応する周波数範囲にマッピングする。
【０３４７】
一部の実現可能な実施態様では、本発明の本実施形態で説明された端末デバイスのユニットは、本発明の実施形態で提供された、無線インターフェース技術を使用するための方法に対応する実施形態で説明された実施態様を実行するように構成されてもよい。特定の実施プロセスについては、前述の実施形態を参照することができる。ここでは詳細について再度説明しない。
【０３４８】
実施形態14
本発明の実施形態14は、別の基地局デバイスを提供する。
【０３４９】
図12は、本実施形態による別の基地局デバイスの概略図である。図12に示すように、本実施形態で提供される基地局デバイスc00は、ハードウェア的には、バスに接続された少なくとも1つのプロセッサc10、バスc20、および少なくとも1つのメモリc30、ならびに少なくとも1つの通信インターフェースc40を含む。
【０３５０】
メモリc30は、コンピュータ実行可能命令を記憶するように構成される。プロセッサc10は、バスc20を使用して、メモリc30に記憶されたコンピュータ実行可能命令を呼び出し、コンピュータ命令を実行する。外部デバイスにデータを送信するとき、プロセッサc10は、バスを使用して、完全に処理されたデータをメモリc30に書き込み、バスc20を使用して、完全に処理されたデータを通信インターフェースc40に送信し、通信インターフェースc40は、そのデータを外部デバイスに送信する。外部デバイスによって送信されたデータを受信するとき、通信インターフェースc40は、外部デバイスからデータを受信し、プロセッサc10によってデータを処理するために、バスc20を使用してメモリc30にデータを書き込む。このようにして、基地局デバイスは、本発明の実施形態1〜5のいずれかまたは本発明の実施形態11の方法を実行することができる。
【０３５１】
プロセッサc10は、セルの周波数帯をN個の周波数範囲に分割し、その場合、N個の周波数範囲のそれぞれは1つの無線インターフェース技術をサポートし、セルは少なくとも2つの無線インターフェース技術をサポートし、また、
プロセッサc10は、N個の周波数範囲の周波数帯情報、N個の周波数範囲と無線インターフェース技術との対応関係、または無線インターフェース技術の特性情報、およびセルのランダム・アクセス・リソース情報を通信インターフェースc40に送信し、Nは整数であり、N≧2である。
【０３５２】
次に、通信インターフェースc40は、N個の周波数範囲の周波数帯情報、N個の周波数範囲と無線インターフェース技術との対応関係、または無線インターフェース技術の特性情報、およびセルのランダム・アクセス・リソース情報をUEに送信し、その場合、ランダム・アクセス・リソース情報は、UEにセルへのアクセスを命令するために、またはUEにセルとのアップリンク同期の実行を命令するために使用される。
【０３５３】
UEがネットワークにアクセスしたか、またはアップリンク同期を完了した後、プロセッサc10は、UEのサービス無線ベアラDRBをN個の周波数範囲の少なくとも1つの周波数範囲にマッピングし、その場合、DRBのそれぞれは、少なくとも1つの周波数範囲のうちの1つに対応し、少なくとも1つの周波数範囲のそれぞれは、DRBの少なくとも1つに対応する。
【０３５４】
通信インターフェースc40は、DRBで搬送されるサービスをUEに伝送する。DRBをUEに伝送するとき、基地局デバイスは、DRBがマッピングされた周波数範囲によってサポートされる無線インターフェース技術を使用する。基地局デバイスが、UEによって送信されたデータを受信するとき、通信インターフェースc40は、プロセッサc10によってデータを処理するためにサービスデータをメモリc30に書き込む。基地局デバイスがUEのサービスデータを送信するとき、通信インターフェースc40は、プロセッサc10によって完全に処理され、メモリc30に記憶されたデータをUEに送信する。
【０３５５】
プロセッサc10による分割によって得られる周波数範囲は、共通周波数範囲および専用周波数範囲を含む。共通周波数範囲は、N個の周波数範囲によってサポートされる無線インターフェース技術によって共有される周波数範囲であり、共通チャネルによって要求される無線リソースまたは共通チャネルおよびシグナリング無線ベアラSRBによって要求される無線リソースを含む。共通周波数範囲は、DRBによって要求される無線リソースをさらに含む。専用周波数範囲は、無線インターフェース技術によって個別に使用される周波数範囲であり、専用周波数範囲は、DRBによって要求される無線リソースを持つ。専用周波数範囲は、SRBによって要求される無線リソースをさらに含む。
【０３５６】
代替的には、周波数範囲は、専用周波数範囲のみを含んでもよい。専用周波数範囲は、無線インターフェース技術によって個別に使用される周波数範囲であり、共通チャネル、SRBによって要求される無線リソース、およびDRBによって要求される無線リソースを含む。
【０３５７】
共通チャネルは、同期チャネル、セル固有基準信号、ブロードキャストチャネル、ページングチャネル、またはランダム・アクセス・チャネルを含む。
【０３５８】
無線インターフェース技術の特性情報は、無線インターフェース技術の多重アクセスモード、無線インターフェース技術のフレーム構造、無線インターフェース技術の物理チャネル特性、無線インターフェース技術のアップリンク−ダウンリンクサブフレーム構造、または無線インターフェース技術の物理チャネルリソース構成を含む。
【０３５９】
プロセッサc10が、UEのDRBを、マッピングされる必要がある周波数範囲にマッピングする前に、
プロセッサc10は、N個の周波数範囲の少なくとも1つの周波数範囲への、UEのSRBのマッピングであって、SRBのそれぞれが少なくとも1つの周波数範囲の1つに対応し、少なくとも1つの周波数範囲のそれぞれが、SRBの少なくとも1つに対応する、マッピング、および通信インターフェースc40への第1の指示情報の送信であって、第1の指示情報が、SRBがマッピングされる必要がある周波数範囲をUEに示すために使用される、送信をさらに行う必要があり得、
通信インターフェースc40は、第1の指示情報をUEに送信し、
通信インターフェースc40は、SRBがマッピングされる周波数範囲によってサポートされる無線インターフェース技術を使用しての、UEへのRRCシグナリングの送信であって、RRCシグナリングが、UEのDRBを確立するために使用される、送信を行い、RRCシグナリングを送信するとき、通信インターフェースc40は、プロセッサc10によって生成され、メモリc30に記憶されたRRCシグナリングをUEに送信する。
【０３６０】
基地局デバイスによって、N個の周波数範囲の周波数帯情報をUEに送信するための方法は、
共通周波数範囲のシステム・ブロードキャスト・メッセージもしくはRRC制御シグナリングの、UEへの送信であって、システム・ブロードキャスト・メッセージもしくはRRC制御シグナリングが、共通周波数範囲の周波数帯情報および専用周波数範囲の周波数帯情報を含む、送信、または
専用周波数範囲のシステム・ブロードキャスト・メッセージもしくはRRC制御シグナリングの、UEへの送信であって、システム・ブロードキャスト・メッセージもしくはRRC制御シグナリングが、専用周波数範囲の周波数帯情報を含む、送信を含み、
基地局デバイスによって送信されるシステム・ブロードキャスト・メッセージまたはRRC制御シグナリングは、プロセッサc10によって生成され、通信インターフェースc40を使用してUEに送信される。
【０３６１】
一部の実現可能な実施態様では、本発明の本実施形態で説明された基地局デバイスのハードウェアユニットは、本発明の実施形態で提供された、複数の無線インターフェース技術を使用するための方法に対応する実施形態で説明された実施態様を実行するように構成されてもよい。特定の実施プロセスについては、前述の実施形態を参照することができる。ここでは詳細について再度説明しない。
【０３６２】
実施形態15
本発明の実施形態15は、別の端末デバイスを提供する。
【０３６３】
図13は、本実施形態による別の端末デバイスの概略図である。図13に示すように、本実施形態で提供される端末デバイスd00は、ハードウェア的には、バスに接続された少なくとも1つのプロセッサd10、バスd20、および少なくとも1つのメモリd30、ならびに少なくとも1つの通信インターフェースd40を含む。
【０３６４】
メモリd30は、コンピュータ実行可能命令を記憶するように構成される。プロセッサd10は、バスd20を使用して、メモリd30に記憶されたコンピュータ実行可能命令を呼び出し、命令を実行する。外部デバイスによって送信されたデータを受信するとき、通信インターフェースd40は、外部デバイスからのデータを受信し、バスd20を使用してメモリd30にデータを書き込み、プロセッサd10は、メモリd30に書き込まれたデータを処理する。外部デバイスにデータを送信するとき、プロセッサd10は、バスを使用して、完全に処理されたデータをメモリd30に書き込み、バスd20を使用して、完全に処理されたデータを通信インターフェースd40に送信し、通信インターフェースd40は、そのデータを外部デバイスに送信する。このようにして、端末デバイスは、実施形態6〜8のいずれかの方法を実行することができる。
【０３６５】
通信インターフェースd40は、基地局から送信されたN個の周波数範囲の周波数帯情報、N個の周波数範囲と無線インターフェース技術との対応関係、または無線インターフェース技術の特性情報、およびセルのランダム・アクセス・リソース情報の受信であって、ランダム・アクセス・リソース情報が、端末デバイスにセルへのアクセスを命令するために、または端末デバイスにセルとのアップリンク同期の実行を命令するために使用される、受信を行い、N個の周波数範囲の周波数帯情報、N個の周波数範囲と無線インターフェース技術との対応関係、または無線インターフェース技術の特性情報、およびセルのランダム・アクセス・リソース情報を、プロセッサd10による使用のためにメモリd30に書き込む。通信インターフェースd40は、基地局によって送信されたシステム・ブロードキャスト・メッセージまたは無線リソース制御RRCシグナリングから、基地局によって送信された、N個の周波数範囲の周波数帯情報を受信してもよい。
【０３６６】
プロセッサd10は、端末デバイスがランダム・アクセス・リソース情報に従ったワイヤレスネットワークへのアクセスまたはアップリンク同期の実行を行えるようにする。端末デバイスが、ネットワークにアクセスしたか、またはアップリンク同期を完了した後、通信インターフェースd40は、基地局によって送信される指示情報を受信し、この場合、指示情報は、UEのデータ無線ベアラDRBがマッピングされる必要がある周波数範囲を示すために使用される。プロセッサd10は、指示情報を処理し、DRBがマッピングされる必要がある周波数範囲を学習し、UEのDRBを、DRBがマッピングされる必要がある周波数範囲にマッピングする。
【０３６７】
次に、端末デバイスは、通信インターフェースd40を使用して、DRBで搬送されるサービスを基地局に伝送する。
【０３６８】
通信インターフェースd40は、共通周波数範囲を使用して基地局によって送信されたシステム・ブロードキャスト・メッセージもしくはRRC制御シグナリングの受信であって、システム・ブロードキャスト・メッセージもしくはRRC制御シグナリングが、共通周波数範囲の周波数帯情報および専用周波数範囲の周波数帯情報を含む、受信、または、専用周波数範囲を使用して基地局によって送信されたシステム・ブロードキャスト・メッセージまたはRRC制御シグナリングの受信であって、システム・ブロードキャスト・メッセージもしくはRRC制御シグナリングが、専用周波数範囲の周波数帯情報を含む、受信を行ってもよい。
【０３６９】
通信インターフェースd40は、基地局によって送信されたシステム・ブロードキャスト・メッセージを受信し、これにより、プロセッサd10は、ブロードキャストメッセージから、N個の周波数範囲と無線インターフェース技術との対応関係もしくは無線インターフェース技術の特性情報を取得してもよいし、あるいは、通信インターフェースd40は、基地局によって送信されたRRCシグナリングを受信し、これにより、プロセッサd10は、RRCシグナリングから、N個の周波数範囲と無線インターフェース技術との対応関係もしくは無線インターフェース技術の特性情報を取得してもよいし、あるいは、通信インターフェースd40は、基地局によって送信されたMAC CEを受信し、これにより、プロセッサd10は、N個の周波数範囲と無線インターフェース技術との対応関係もしくは無線インターフェース技術の特性情報を取得してもよいし、あるいは、通信インターフェースd40は、基地局によって送信されたPDCCHを受信し、これにより、プロセッサd10は、PDCCHから、N個の周波数範囲と無線インターフェース技術との対応関係もしくは無線インターフェース技術の特性情報を取得してもよい。
【０３７０】
通信インターフェースd40は、基地局によって送信された第1の指示情報をさらに受信してもよい。第1の指示情報は、UEのシグナリング無線ベアラSRBがマッピングされる必要がある周波数範囲を示すために使用され、第1の指示情報は、UEのSRBを、SRBがマッピングされる必要がある周波数範囲にマッピングするためにプロセッサd10によって使用される。
【０３７１】
マッピングされる必要がある周波数範囲にSRBがマッピングされた後、端末デバイスは、SRBがマッピングされた周波数範囲によってサポートされる無線インターフェース技術を使用して基地局にRRCシグナリングを伝送してもよい。RRCシグナリングは、プロセッサd10によって生成され、通信インターフェースd40を使用して外部デバイスに送信される。RRCシグナリングは、UEのDRBを確立するために使用される。
【０３７２】
プロセッサd10は、通信インターフェースd40を使用してのシステム・ブロードキャスト・メッセージの受信をさらに行う必要があり、
システムブロードキャスト情報が共通周波数範囲のシステムブロードキャスト情報である場合、端末デバイスは、共通周波数範囲を使用してワイヤレスネットワークにアクセスする。
【０３７３】
プロセッサd10が、UEのDRBを、DRBがマッピングされる必要がある周波数範囲にマッピングすることは、プロセッサd10が、基地局によって送信された指示情報を使用して、DRBがマッピングされる必要がある周波数範囲によってサポートされる無線インターフェース技術を学習し、DRBを、DRBがマッピングされる必要がある周波数範囲によってサポートされる無線インターフェース技術にマップすることを含む。
【０３７４】
プロセッサd10が、UEのSRBを、SRBがマッピングされる必要がある周波数範囲にマッピングすることは、プロセッサd10が、基地局によって送信された第1の指示情報を使用して、SRBがマッピングされる必要がある周波数範囲によってサポートされる無線インターフェース技術を学習し、SRBを、SRBがマッピングされる必要がある周波数範囲によってサポートされる無線インターフェース技術にマップすることを含む。
【０３７５】
一部の実現可能な実施態様では、本発明の本実施形態で説明された端末デバイスのハードウェアユニットは、本発明の実施形態で提供された、複数の無線インターフェース技術を使用するための方法に対応する実施形態で説明された実施態様を実行するように構成されてもよい。特定の実施プロセスについては、前述の実施形態を参照することができる。ここでは詳細について再度説明しない。
【０３７６】
実施形態16
本発明の実施形態16は、通信システムを提供する。
【０３７７】
図14を参照すると、通信システムは、本発明の実施形態12の基地局デバイスe10と、本発明の実施形態13の端末デバイスe20と、SORコントローラe30とを含み得る。SORは、通信システムによって無線リソース制御を実行するために構成される。
【０３７８】
基地局デバイスe10は、セルの周波数帯をN個の周波数範囲に分割し、N個の周波数範囲に使用される周波数帯を決定し、N個の周波数範囲のそれぞれによってサポートされる無線インターフェース技術および無線インターフェース技術の特性を決定し、その場合、セルは、少なくとも2つの異なる無線インターフェース技術をサポートし、Nは整数であり、N≧2である。基地局デバイスe10は、N個の周波数範囲のそれぞれの周波数帯情報、N個の周波数範囲と無線インターフェース技術との対応関係、または無線インターフェース技術の特性情報、およびセルのランダム・アクセス・リソース情報を端末デバイスe20に送信する。この場合、端末デバイスe20は、開始されるサービスの種類に従って対応する周波数範囲を選択し、ワイヤレス・ネットワーク・アクセス・プロセスを完了してもよい。端末デバイスe20がネットワークにアクセスした後、基地局デバイスe10は、端末デバイスe20によって開始されたサービスの種類に従って、端末デバイスe20のDRBを、DRBがマッピングされる必要がある周波数範囲にマッピングしてもよい。基地局デバイスe10は、指示情報を使用して、端末デバイスe20のDRBがマッピングされる必要がある周波数範囲を端末デバイスc20に送信する。
【０３７９】
端末デバイスe20は最初に、基地局デバイスe10によって送信された、N個の周波数範囲のそれぞれの周波数帯情報、N個の周波数範囲と無線インターフェース技術との対応関係、または無線インターフェース技術の特性情報、およびセルのランダム・アクセス・リソース情報を受信し、ランダム・アクセス・リソースに従ってネットワークアクセスを実行する。UEがサービスを開始すると、端末デバイスe20は、基地局デバイスe10によって送信された、サービスのためのDRBがマッピングされる必要がある周波数範囲を示す指示情報を受信する。端末デバイスe20は、指示情報に従って、サービスのためのDRBを、マッピングされる必要がある周波数範囲にマッピングする。
【０３８０】
SORコントローラe30は、
基地局デバイスe10が、サービスを搬送するDRBを、マッピングされる必要がある周波数範囲にマッピングできるように、システムにおいてサービスに使用される周波数範囲を決定し、
基地局デバイスe10がセルの周波数範囲を分割または再分割できるように、無線インターフェース技術によって使用されるセルの周波数範囲を決定する
よう特に構成される。
【０３８１】
SOR e30から無線インターフェース技術によって使用される周波数範囲およびサービスに使用される周波数範囲を取得した後、基地局デバイスe10は、セルの周波数範囲を分割する。
【０３８２】
無線リソースコントローラとして使用されるSORコントローラe30は、独立したネットワーク要素デバイス、またはネットワーク要素デバイス、例えば、基地局もしくはモバイル管理エンティティ（MME、mobility management entity）に配置される論理機能ユニットである。SORコントローラが基地局に配置される場合、SORコントローラの機能は、基地局の機能の一部である。基地局は、インターフェースX2を使用して、サービスに使用される周波数範囲および無線インターフェース技術によって使用される周波数範囲に関して別の基地局とネゴシエートしてもよい。
【０３８３】
例えば、無線リソースコントローラとして使用されるSORコントローラe30は、LTE技術用の周波数範囲と、LTE技術で使用されるフレーム構造とは異なるフレーム構造を使用する無線インターフェース技術用の周波数範囲とを決定し、モバイル・ブロードバンド・ユニキャスト・サービスおよびM2Mサービスの要求およびサービス特性情報に従って、モバイル・ブロードバンド・ユニキャスト・サービスに使用される周波数範囲およびM2Mサービスに使用される周波数範囲をそれぞれ決定する。モバイル・ブロードバンド・ユニキャスト・サービスおよびM2Mサービスの要求およびサービス特性情報は、基地局デバイスe10またはMMEから取得されてもよい。本実施形態では、SORコントローラe30は、モバイル・ブロードバンド・ユニキャスト・サービスに使用される周波数範囲はLTE技術によって使用される周波数範囲であると決定し、M2Mサービスに使用される周波数範囲は、LTE技術で使用されるフレーム構造とは異なるフレーム構造を使用する無線インターフェース技術によって使用される周波数範囲であると決定する。
【０３８４】
基地局デバイスe10は、SORコントローラによって決定された、無線インターフェース技術によって使用される周波数範囲およびサービスに使用される周波数範囲に応じて、セルの全周波数範囲を2つの周波数範囲に分割し、2つの異なる無線インターフェース技術を使用する。一方の無線インターフェース技術は、既存のLTE技術であり、共通周波数範囲に対応し、共通チャネルおよびモバイル・ブロードバンド・ユニキャスト・サービス・ベアラを伝送するために使用される。もう一方の無線インターフェース技術は、既存のLTE技術で使用されるフレーム構造とは異なるフレーム構造を使用し、超低遅延M2Mサービスベアラを伝送するために使用される。
【０３８５】
一部の実現可能な実施態様では、本発明の本実施形態で説明された基地局デバイスおよび端末デバイスは、本発明の実施形態で提供された、無線インターフェース技術を使用するための方法に対応する実施形態で説明された実施態様を実行するように構成されてもよい。特定の実施プロセスについては、前述の実施形態を参照することができる。ここでは詳細について再度説明しない。
【０３８６】
前述の実施形態は、本発明の技術的解決策を説明するためのものに過ぎず、本発明を限定するためのものではない。本発明は、前述の実施形態を参照して詳細に説明されているが、当業者であれば、本発明の実施形態の技術的解決策の範囲から逸脱することなく、前述の実施形態で説明した技術的解決策をさらに修正することができる、またはその技術的特徴の同等の置換を行うことができることを理解するはずである。
【０３８７】
当業者であれば、実施形態の方法の手続きの全部または一部が、関連するハードウェアに命令するコンピュータプログラムによって実施され得ることを理解することができる。プログラムは、コンピュータ可読記憶媒体に記憶されてもよい。プログラムが実行されるとき、実施形態の方法の手続きが含まれてもよい。前述の記憶媒体は、磁気ディスク、光ディスク、読み出し専用メモリ（Read−Only Memory、ROM）、またはランダム・アクセス・メモリ（Random Access Memory、RAM）などであってもよい。
【０３８８】
上で開示したものは、本発明の実施形態の単なる例であり、言うまでもなく、本発明の特許請求の範囲を限定するものではない。したがって、本発明の特許請求の範囲に従ってなされた均等な変形例は、本発明の範囲内に含まれるものとする。
【符号の説明】
【０３８９】
a00、c00、e10  基地局デバイス
a10、b20  処理ユニット
a20、b10  トランシーバユニット
b00、d00、e20  端末デバイス
c10、d10  プロセッサ
c30、d30  メモリ
c40、d40  通信インターフェース
【図１】
0006574260.tif 000002
【図２】
0006574260.tif 000003
【図３−ａ】
0006574260.tif 000004
【図３−ｂ】
0006574260.tif 000005
【図４−ａ】
0006574260.tif 000006
【図４−ｂ】
0006574260.tif 000007
【図４−ｃ】
0006574260.tif 000008
【図５】
0006574260.tif 000009
【図６−ａ】
0006574260.tif 000010
【図６−ｂ】
0006574260.tif 000011
【図７−ａ】
0006574260.tif 000012
【図７−ｂ】
0006574260.tif 000013
【図８−ａ】
0006574260.tif 000014
【図８−ｂ】
0006574260.tif 000015
【図９−ａ】
0006574260.tif 000016
【図９−ｂ】
0006574260.tif 000017
【図１０】
0006574260.tif 000018
【図１１】
0006574260.tif 000019
【図１２】
0006574260.tif 000020
【図１３】
0006574260.tif 000021
【図１４】
0006574260.tif 000022